(57)【特許請求の範囲】
【請求項１】
近距離通信に係る通信プロトコルを用いて情報を送信する送信装置を識別するための送信先識別情報及び該送信先識別情報を前記送信装置から受信した携帯端末装置を識別するための受信先識別情報を取得する取得部と、  コンテンツを提供するコンテンツ提供装置へ前記送信先識別情報を出力する出力部と、  前記送信先識別情報に応じたコンテンツを前記コンテンツ提供装置から取得するコンテンツ取得部とを備え、  前記出力部は該コンテンツ取得部で取得したコンテンツを前記受信先識別情報に係る携帯端末装置へ出力し、  前記取得部は、一又は複数の送信先識別情報を取得し、  前記取得部で取得した一又は複数の送信先識別情報を分類したグループを特定する情報特定部と、  該情報特定部で特定したグループの送信先識別情報の内、いずれか１つの送信先識別情報を取得してから該情報特定部で特定したグループにおける前記取得部で取得した送信先識別情報の取得が終了するまでの経過時間を計時する計時部と、  該計時部で計時した経過時間を前記コンテンツ提供装置へ出力する時間出力部とを備え、  前記コンテンツ取得部は、前記計時部で計時した経過時間に応じて設定され、勤怠管理の情報を示す勤怠情報を取得し、  前記出力部は、前記コンテンツ取得部で取得した勤怠情報を前記受信先識別情報に係る携帯端末装置へ出力することを特徴とするコンテンツ出力装置。
【請求項２】
近距離通信に係る通信プロトコルを用いて情報を送信する送信装置を識別するための送信先識別情報及び該送信先識別情報を前記送信装置から受信した携帯端末装置を識別するための受信先識別情報を取得する取得部と、  コンテンツを提供するコンテンツ提供装置へ前記送信先識別情報を出力する出力部と、  前記送信先識別情報に応じたコンテンツを前記コンテンツ提供装置から取得するコンテンツ取得部とを備え、  前記出力部は該コンテンツ取得部で取得したコンテンツを前記受信先識別情報に係る携帯端末装置へ出力し、  前記受信先識別情報をコンテンツ提供装置へ出力する情報出力部を備え、  前記コンテンツ取得部は、前記受信先識別情報に対応づけられた氏名、前記受信先識別情報を取得した時間の履歴を示す履歴情報及び前記送信先識別情報に対応づけられた位置情報を前記コンテンツ提供装置から取得し、 前記出力部は、前記コンテンツ取得部で取得した氏名、前記履歴情報及び前記位置情報を前記携帯端末装置とは異なる他の携帯端末装置へ出力することを特徴とするコンテンツ出力装置。
【請求項３】
近距離通信に係る通信プロトコルを用いて情報を送信する送信装置を識別するための送信先識別情報及び該送信先識別情報を前記送信装置から受信した携帯端末装置を識別するための受信先識別情報を取得する取得部と、  コンテンツを提供するコンテンツ提供装置へ前記送信先識別情報を出力する出力部と、  前記送信先識別情報に応じたコンテンツを前記コンテンツ提供装置から取得するコンテンツ取得部とを備え、  前記出力部は該コンテンツ取得部で取得したコンテンツを前記受信先識別情報に係る携帯端末装置へ出力し、  前記取得部は、一又は複数の送信先識別情報を取得し、  前記取得部で取得した一又は複数の送信先識別情報を分類したグループを特定する情報特定部と、  該情報特定部で特定したグループの送信先識別情報の内、いずれか１つの送信先識別情報を取得してから該情報特定部で特定したグループにおける前記取得部で取得した送信先識別情報の取得が終了するまでの経過時間を計時する計時部と、  該計時部で計時した経過時間を前記コンテンツ提供装置へ出力する時間出力部とを備え、  前記コンテンツ取得部は、前記計時部で計時した経過時間に応じて課金される課金情報を取得し、  前記出力部は、前記コンテンツ取得部で取得した課金情報を前記受信先識別情報に係る携帯端末装置へ出力することを特徴とするコンテンツ出力装置。
【請求項４】
近距離通信に係る通信プロトコルを用いて情報を送信する送信装置を識別するための送信先識別情報及び該送信先識別情報を前記送信装置から受信した携帯端末装置を識別するための受信先識別情報を取得する取得部と、  コンテンツを提供するコンテンツ提供装置へ前記送信先識別情報を出力する出力部と、  前記送信先識別情報に応じたコンテンツを前記コンテンツ提供装置から取得するコンテンツ取得部とを備え、  前記出力部は該コンテンツ取得部で取得したコンテンツを前記受信先識別情報に係る携帯端末装置へ出力し、 前記携帯端末装置が前記送信装置から近距離通信に係る通信プロトコルにより第１通信部を介して送信先識別情報を受信した後に、前記携帯端末装置自身に設定された言語設定情報が前記第１通信部とは異なる通信プロトコルを用いる第２通信部を介して出力された場合に、該言語設定情報を取得する設定情報取得部と、  前記設定情報取得部で取得した言語設定情報を前記コンテンツ提供装置へ出力する設定情報出力部とを備え、  前記コンテンツ取得部は、前記言語設定情報に対応する言語に係るコンテンツを前記コンテンツ提供装置から取得し、  前記出力部は、前記コンテンツ取得部で取得したコンテンツを前記受信先識別情報に係る携帯端末装置へ出力することを特徴とするコンテンツ出力装置。
【請求項５】
近距離通信に係る通信プロトコルを用いて情報を送信する送信装置を識別するための送信先識別情報及び該送信先識別情報を受信した携帯端末装置を識別するための受信先識別情報を取得する取得部並びにコンテンツを出力するコンテンツ出力部を備えるコンテンツ出力装置と、コンテンツを提供するコンテンツ提供装置とを備えるコンテンツ出力システムにおいて、  前記送信先識別情報を前記コンテンツ提供装置へ出力する出力部を備え、  前記コンテンツ提供装置は、  前記送信先識別情報を取得する識別情報取得部と、  該識別情報取得部で取得した送信先識別情報に応じたコンテンツを出力する情報コンテンツ出力部とを備え、  さらに、  前記コンテンツ出力装置は、  前記コンテンツを取得するコンテンツ取得部を備え、  前記コンテンツ出力部は該コンテンツ取得部で取得したコンテンツを前記受信先識別情報に係る携帯端末装置へ出力し、  前記取得部は、一又は複数の送信先識別情報を取得し、  前記コンテンツ出力装置は、  前記取得部で取得した一又は複数の送信先識別情報を分類したグループを特定する分類特定部と、  特定したグループの送信先識別情報の内、いずれか１つの送信先識別情報を取得してから、特定したグループにおける前記取得部で取得した送信先識別情報の取得が終了するまでの経過時間を計時する計時部と、  該計時部で計時した経過時間及び前記分類特定部で特定したグループを前記コンテンツ提供装置へ出力する情報出力部とを備え、  前記コンテンツ提供装置は、  前記コンテンツ出力装置から出力された経過時間及びグループを取得する情報取得部と、  前記情報取得部で取得したグループが所定のグループであるか否かを判定する判定部と、  該判定部が取得したグループが所定のグループであると判定した場合、前記情報取得部で取得した経過時間が所定の時間を経過したか否かを判定する時間判定部と、  該時間判定部が前記情報取得部で取得した経過時間が所定の時間を経過したと判定した場合、広告が有効であったことを示す効果情報を出力する効果出力部と  を備えることを特徴とするコンテンツ出力システム。
【請求項６】
近距離通信に係る通信プロトコルを用いて情報を送信する送信装置を識別するための送信先識別情報及び該送信先識別情報を受信した携帯端末装置を識別するための受信先識別情報を前記送信装置から取得し、  コンテンツを提供するコンテンツ提供装置へ前記送信先識別情報を出力し、  前記送信先識別情報に応じたコンテンツを前記コンテンツ提供装置から取得し、  取得したコンテンツを前記受信先識別情報に係る携帯端末装置へ出力し、  一又は複数の送信先識別情報を取得し、  取得した一又は複数の送信先識別情報を分類したグループを特定し、  特定したグループの送信先識別情報の内、いずれか１つの送信先識別情報を取得してから特定したグループにおける取得した送信先識別情報の取得が終了するまでの経過時間を計時し、  計時した経過時間を前記コンテンツ提供装置へ出力し、  計時した経過時間に応じて設定され、勤怠管理の情報を示す勤怠情報を取得し、  取得した勤怠情報を前記受信先識別情報に係る携帯端末装置へ出力する  処理をコンテンツ出力装置に実行させるプログラム。
【請求項７】
近距離通信に係る通信プロトコルを用いて情報を送信する送信装置を識別するための送信先識別情報及び該送信先識別情報を受信した携帯端末装置を識別するための受信先識別情報を前記送信装置から取得し、  コンテンツを提供するコンテンツ提供装置へ前記送信先識別情報を出力し、  前記送信先識別情報に応じたコンテンツを前記コンテンツ提供装置から取得し、  取得したコンテンツを前記受信先識別情報に係る携帯端末装置へ出力し、  前記受信先識別情報をコンテンツ提供装置へ出力し、  前記受信先識別情報に対応づけられた氏名、前記受信先識別情報を取得した時間の履歴を示す履歴情報及び前記送信先識別情報に対応づけられた位置情報を前記コンテンツ提供装置から取得し、  取得した氏名、前記履歴情報及び前記位置情報を前記携帯端末装置とは異なる他の携帯端末装置へ出力する  処理をコンテンツ出力装置に実行させるプログラム。
【請求項８】
近距離通信に係る通信プロトコルを用いて情報を送信する送信装置を識別するための送信先識別情報及び該送信先識別情報を受信した携帯端末装置を識別するための受信先識別情報を前記送信装置から取得し、  コンテンツを提供するコンテンツ提供装置へ前記送信先識別情報を出力し、  前記送信先識別情報に応じたコンテンツを前記コンテンツ提供装置から取得し、  取得したコンテンツを前記受信先識別情報に係る携帯端末装置へ出力し、  前記受信先識別情報をコンテンツ提供装置へ出力し、  一又は複数の送信先識別情報を取得し、  取得した一又は複数の送信先識別情報を分類したグループを特定し、  特定したグループの送信先識別情報の内、いずれか１つの送信先識別情報を取得してから特定したグループにおける取得した送信先識別情報の取得が終了するまでの経過時間を計時し、  計時した経過時間を前記コンテンツ提供装置へ出力し、  計時した経過時間に応じて課金される課金情報を取得し、  取得した課金情報を前記受信先識別情報に係る携帯端末装置へ出力する  処理をコンテンツ出力装置に実行させるプログラム。
【請求項９】
近距離通信に係る通信プロトコルを用いて情報を送信する送信装置を識別するための送信先識別情報及び該送信先識別情報を受信した携帯端末装置を識別するための受信先識別情報を前記送信装置から取得し、  コンテンツを提供するコンテンツ提供装置へ前記送信先識別情報を出力し、  前記送信先識別情報に応じたコンテンツを前記コンテンツ提供装置から取得し、  取得したコンテンツを前記受信先識別情報に係る携帯端末装置へ出力し、  前記受信先識別情報をコンテンツ提供装置へ出力し、 前記携帯端末装置が前記送信装置から近距離通信に係る通信プロトコルにより第１通信部を介して送信先識別情報を受信した後に、前記携帯端末装置自身に設定された言語設定情報が前記第１通信部とは異なる通信プロトコルを用いる第２通信部を介して出力された場合に、該言語設定情報を取得し、  取得した言語設定情報を前記コンテンツ提供装置へ出力し、  前記言語設定情報に対応する言語に係るコンテンツを前記コンテンツ提供装置から取得し、  取得したコンテンツを前記受信先識別情報に係る携帯端末装置へ出力する  処理をコンテンツ出力装置に実行させるプログラム。
【請求項１０】
近距離通信に係る通信プロトコルを用いて情報を送信する送信装置を識別するための送信先識別情報及び該送信先識別情報を受信した携帯端末装置を識別するための受信先識別情報を前記送信装置から取得し、  コンテンツを提供するコンテンツ提供装置へ前記送信先識別情報を出力し、  前記送信先識別情報に応じたコンテンツを前記コンテンツ提供装置から取得し、  取得したコンテンツを前記受信先識別情報に係る携帯端末装置へ出力し、  一又は複数の送信先識別情報を取得し、  取得した一又は複数の送信先識別情報を分類したグループを特定し、  特定したグループの送信先識別情報の内、いずれか１つの送信先識別情報を取得してから特定したグループにおける取得した送信先識別情報の取得が終了するまでの経過時間を計時し、  計時した経過時間を前記コンテンツ提供装置へ出力し、  計時した経過時間に応じて設定され、勤怠管理の情報を示す勤怠情報を取得し、  取得した勤怠情報を前記受信先識別情報に係る携帯端末装置へ出力する  処理をコンテンツ出力装置に実行させるコンテンツ出力方法。
【請求項１１】
近距離通信に係る通信プロトコルを用いて情報を送信する送信装置を識別するための送信先識別情報及び該送信先識別情報を受信した携帯端末装置を識別するための受信先識別情報を前記送信装置から取得し、  コンテンツを提供するコンテンツ提供装置へ前記送信先識別情報を出力し、  前記送信先識別情報に応じたコンテンツを前記コンテンツ提供装置から取得し、  取得したコンテンツを前記受信先識別情報に係る携帯端末装置へ出力し、  前記受信先識別情報をコンテンツ提供装置へ出力し、  前記受信先識別情報に対応づけられた氏名、前記受信先識別情報を取得した時間の履歴を示す履歴情報及び前記送信先識別情報に対応づけられた位置情報を前記コンテンツ提供装置から取得し、  取得した氏名、前記履歴情報及び前記位置情報を前記携帯端末装置とは異なる他の携帯端末装置へ出力する  処理をコンテンツ出力装置に実行させるコンテンツ出力方法。
【請求項１２】
近距離通信に係る通信プロトコルを用いて情報を送信する送信装置を識別するための送信先識別情報及び該送信先識別情報を受信した携帯端末装置を識別するための受信先識別情報を前記送信装置から取得し、  コンテンツを提供するコンテンツ提供装置へ前記送信先識別情報を出力し、  前記送信先識別情報に応じたコンテンツを前記コンテンツ提供装置から取得し、  取得したコンテンツを前記受信先識別情報に係る携帯端末装置へ出力し、  前記受信先識別情報をコンテンツ提供装置へ出力し、  一又は複数の送信先識別情報を取得し、  取得した一又は複数の送信先識別情報を分類したグループを特定し、  特定したグループの送信先識別情報の内、いずれか１つの送信先識別情報を取得してから特定したグループにおける取得した送信先識別情報の取得が終了するまでの経過時間を計時し、  計時した経過時間を前記コンテンツ提供装置へ出力し、  計時した経過時間に応じて課金される課金情報を取得し、  取得した課金情報を前記受信先識別情報に係る携帯端末装置へ出力する  処理をコンテンツ出力装置に実行させるコンテンツ出力方法。
【請求項１３】
近距離通信に係る通信プロトコルを用いて情報を送信する送信装置を識別するための送信先識別情報及び該送信先識別情報を受信した携帯端末装置を識別するための受信先識別情報を前記送信装置から取得し、  コンテンツを提供するコンテンツ提供装置へ前記送信先識別情報を出力し、  前記送信先識別情報に応じたコンテンツを前記コンテンツ提供装置から取得し、  取得したコンテンツを前記受信先識別情報に係る携帯端末装置へ出力し、  前記受信先識別情報をコンテンツ提供装置へ出力し、 前記携帯端末装置が前記送信装置から近距離通信に係る通信プロトコルにより第１通信部を介して送信先識別情報を受信した後に、前記携帯端末装置自身に設定された言語設定情報が前記第１通信部とは異なる通信プロトコルを用いる第２通信部を介して出力された場合に、該言語設定情報を取得し、  取得した言語設定情報を前記コンテンツ提供装置へ出力し、  前記言語設定情報に対応する言語に係るコンテンツを前記コンテンツ提供装置から取得し、  取得したコンテンツを前記受信先識別情報に係る携帯端末装置へ出力する  処理をコンテンツ出力装置に実行させるコンテンツ出力方法。
【発明の詳細な説明】
【技術分野】
【０００１】
本発明は、近距離通信に係る通信プロトコルにより情報を送信する送信装置を用いてコンテンツを出力するコンテンツ出力装置、コンテンツ出力システム、プログラム及びコンテンツ出力方法に関する。
【背景技術】
【０００２】
送信装置から送信された情報を端末装置が受信し、受信した情報を端末装置が出力し、出力した情報に基づいてコンテンツを出力するコンテンツ出力装置が一般に知られている（例えば特許文献１）。
【先行技術文献】
【特許文献】
【０００３】
【特許文献１】特開２００２−２９８０４６号公報
【発明の概要】
【発明が解決しようとする課題】
【０００４】
しかし、従来の技術では送信装置が送信する情報の量が多かったため、情報を端末装置が受信するまで時間が掛かることによりコンテンツの出力が遅延してしまうという問題が生じていた。
【０００５】
一つの側面では、コンテンツの出力の遅延を防止することができるコンテンツ出力装置、コンテンツ出力システム、プログラム及びコンテンツ出力方法を提供することにある。
【課題を解決するための手段】
【０００６】  一態様のコンテンツ出力装置は、近距離通信に係る通信プロトコルを用いて情報を送信する送信装置を識別するための送信先識別情報及び該送信先識別情報を前記送信装置から受信した携帯端末装置を識別するための受信先識別情報を取得する取得部と、コンテンツを提供するコンテンツ提供装置へ前記送信先識別情報を出力する出力部と、前記送信先識別情報に応じたコンテンツを前記コンテンツ提供装置から取得するコンテンツ取得部とを備え、前記出力部は該コンテンツ取得部で取得したコンテンツを前記受信先識別情報に係る携帯端末装置へ出力し、前記取得部は、一又は複数の送信先識別情報を取得し、前記取得部で取得した一又は複数の送信先識別情報を分類したグループを特定する情報特定部と、該情報特定部で特定したグループの送信先識別情報の内、いずれか１つの送信先識別情報を取得してから該情報特定部で特定したグループにおける前記取得部で取得した送信先識別情報の取得が終了するまでの経過時間を計時する計時部と、該計時部で計時した経過時間を前記コンテンツ提供装置へ出力する時間出力部とを備え、前記コンテンツ取得部は、前記計時部で計時した経過時間に応じて設定され、勤怠管理の情報を示す勤怠情報を取得し、前記出力部は、前記コンテンツ取得部で取得した勤怠情報を前記受信先識別情報に係る携帯端末装置へ出力することを特徴とする。【０００７】  一態様のコンテンツ出力装置は、近距離通信に係る通信プロトコルを用いて情報を送信する送信装置を識別するための送信先識別情報及び該送信先識別情報を前記送信装置から受信した携帯端末装置を識別するための受信先識別情報を取得する取得部と、コンテンツを提供するコンテンツ提供装置へ前記送信先識別情報を出力する出力部と、前記送信先識別情報に応じたコンテンツを前記コンテンツ提供装置から取得するコンテンツ取得部とを備え、前記出力部は該コンテンツ取得部で取得したコンテンツを前記受信先識別情報に係る携帯端末装置へ出力し、前記受信先識別情報をコンテンツ提供装置へ出力する情報出力部を備え、前記コンテンツ取得部は、前記受信先識別情報に対応づけられた氏名、前記受信先識別情報を取得した時間の履歴を示す履歴情報及び前記送信先識別情報に対応づけられた位置情報を前記コンテンツ提供装置から取得し、前記出力部は、前記コンテンツ取得部で取得した氏名、前記履歴情報及び前記位置情報を前記携帯端末装置とは異なる他の携帯端末装置へ出力することを特徴とする。【０００８】  一態様のコンテンツ出力装置は、近距離通信に係る通信プロトコルを用いて情報を送信する送信装置を識別するための送信先識別情報及び該送信先識別情報を前記送信装置から受信した携帯端末装置を識別するための受信先識別情報を取得する取得部と、コンテンツを提供するコンテンツ提供装置へ前記送信先識別情報を出力する出力部と、前記送信先識別情報に応じたコンテンツを前記コンテンツ提供装置から取得するコンテンツ取得部とを備え、前記出力部は該コンテンツ取得部で取得したコンテンツを前記受信先識別情報に係る携帯端末装置へ出力し、前記取得部は、一又は複数の送信先識別情報を取得し、前記取得部で取得した一又は複数の送信先識別情報を分類したグループを特定する情報特定部と、該情報特定部で特定したグループの送信先識別情報の内、いずれか１つの送信先識別情報を取得してから該情報特定部で特定したグループにおける前記取得部で取得した送信先識別情報の取得が終了するまでの経過時間を計時する計時部と、該計時部で計時した経過時間を前記コンテンツ提供装置へ出力する時間出力部とを備え、前記コンテンツ取得部は、前記計時部で計時した経過時間に応じて課金される課金情報を取得し、前記出力部は、前記コンテンツ取得部で取得した課金情報を前記受信先識別情報に係る携帯端末装置へ出力することを特徴とする。【０００９】  一態様のコンテンツ出力装置は、近距離通信に係る通信プロトコルを用いて情報を送信する送信装置を識別するための送信先識別情報及び該送信先識別情報を前記送信装置から受信した携帯端末装置を識別するための受信先識別情報を取得する取得部と、コンテンツを提供するコンテンツ提供装置へ前記送信先識別情報を出力する出力部と、前記送信先識別情報に応じたコンテンツを前記コンテンツ提供装置から取得するコンテンツ取得部とを備え、前記出力部は該コンテンツ取得部で取得したコンテンツを前記受信先識別情報に係る携帯端末装置へ出力し、前記携帯端末装置が前記送信装置から近距離通信に係る通信プロトコルにより第１通信部を介して送信先識別情報を受信した後に、前記携帯端末装置自身に設定された言語設定情報が前記第１通信部とは異なる通信プロトコルを用いる第２通信部を介して出力された場合に、該言語設定情報を取得する設定情報取得部と、前記設定情報取得部で取得した言語設定情報を前記コンテンツ提供装置へ出力する設定情報出力部とを備え、前記コンテンツ取得部は、前記言語設定情報に対応する言語に係るコンテンツを前記コンテンツ提供装置から取得し、前記出力部は、前記コンテンツ取得部で取得したコンテンツを前記受信先識別情報に係る携帯端末装置へ出力することを特徴とする。【００１０】  一態様のコンテンツ出力システムは、近距離通信に係る通信プロトコルを用いて情報を送信する送信装置を識別するための送信先識別情報及び該送信先識別情報を受信した携帯端末装置を識別するための受信先識別情報を取得する取得部並びにコンテンツを出力するコンテンツ出力部を備えるコンテンツ出力装置と、コンテンツを提供するコンテンツ提供装置とを備えるコンテンツ出力システムにおいて、前記送信先識別情報を前記コンテンツ提供装置へ出力する出力部を備え、前記コンテンツ提供装置は、前記送信先識別情報を取得する識別情報取得部と、該識別情報取得部で取得した送信先識別情報に応じたコンテンツを出力する情報コンテンツ出力部とを備え、さらに、前記コンテンツ出力装置は、前記コンテンツを取得するコンテンツ取得部を備え、前記コンテンツ出力部は該コンテンツ取得部で取得したコンテンツを前記受信先識別情報に係る携帯端末装置へ出力し、前記取得部は、一又は複数の送信先識別情報を取得し、前記コンテンツ出力装置は、前記取得部で取得した一又は複数の送信先識別情報を分類したグループを特定する分類特定部と、特定したグループの送信先識別情報の内、いずれか１つの送信先識別情報を取得してから、特定したグループにおけ��前記取得部で取得した送信先識別情報の取得が終了するまでの経過時間を計時する計時部と、該計時部で計時した経過時間及び前記分類特定部で特定したグループを前記コンテンツ提供装置へ出力する情報出力部とを備え、前記コンテンツ提供装置は、前記コンテンツ出力装置から出力された経過時間及びグループを取得する情報取得部と、前記情報取得部で取得したグループが所定のグループであるか否かを判定する判定部と、該判定部が取得したグループが所定のグループであると判定した場合、前記情報取得部で取得した経過時間が所定の時間を経過したか否かを判定する時間判定部と、該時間判定部が前記情報取得部で取得した経過時間が所定の時間を経過したと判定した場合、広告が有効であったことを示す効果情報を出力する効果出力部とを備えることを特徴とする。【００１１】 一態様のプログラムは、近距離通信に係る通信プロトコルを用いて情報を送信する送信装置を識別するための送信先識別情報及び該送信先識別情報を受信した携帯端末装置を識別するための受信先識別情報を前記送信装置から取得し、コンテンツを提供するコンテンツ提供装置へ前記送信先識別情報を出力し、前記送信先識別情報に応じたコンテンツを前記コンテンツ提供装置から取得し、取得したコンテンツを前記受信先識別情報に係る携帯端末装置へ出力し、一又は複数の送信先識別情報を取得し、取得した一又は複数の送信先識別情報を分類したグループを特定し、特定したグループの送信先識別情報の内、いずれか１つの送信先識別情報を取得してから特定したグループにおける取得した送信先識別情報の取得が終了するまでの経過時間を計時し、計時した経過時間を前記コンテンツ提供装置へ出力し、計時した経過時間に応じて設定され、勤怠管理の情報を示す勤怠情報を取得し、取得した勤怠情報を前記受信先識別情報に係る携帯端末装置へ出力する処理をコンテンツ出力装置に実行させる。 一態様のプログラムは、近距離通信に係る通信プロトコルを用いて情報を送信する送信装置を識別するための送信先識別情報及び該送信先識別情報を受信した携帯端末装置を識別するための受信先識別情報を前記送信装置から取得し、コンテンツを提供するコンテンツ提供装置へ前記送信先識別情報を出力し、前記送信先識別情報に応じたコンテンツを前記コンテンツ提供装置から取得し、取得したコンテンツを前記受信先識別情報に係る携帯端末装置へ出力し、前記受信先識別情報をコンテンツ提供装置へ出力し、前記受信先識別情報に対応づけられた氏名、前記受信先識別情報を取得した時間の履歴を示す履歴情報及び前記送信先識別情報に対応づけられた位置情報を前記コンテンツ提供装置から取得し、取得した氏名、前記履歴情報及び前記位置情報を前記携帯端末装置とは異なる他の携帯端末装置へ出力する処理をコンテンツ出力装置に実行させる。【００１２】  一態様のプログラムは、近距離通信に係る通信プロトコルを用いて情報を送信する送信装置を識別するための送信先識別情報及び該送信先識別情報を受信した携帯端末装置を識別するための受信先識別情報を前記送信装置から取得し、コンテンツを提供するコンテンツ提供装置へ前記送信先識別情報を出力し、前記送信先識別情報に応じたコンテンツを前記コン���ンツ提供装置から取得し、取得したコンテンツを前記受信先識別情報に係る携帯端末装置へ出力し、前記受信先識別情報をコンテンツ提供装置へ出力し、一又は複数の送信先識別情報を取得し、取得した一又は複数の送信先識別情報を分類したグループを特定し、特定したグループの送信先識別情報の内、いずれか１つの送信先識別情報を取得してから特定したグループにおける取得した送信先識別情報の取得が終了するまでの経過時間を計時し、計時した経過時間を前記コンテンツ提供装置へ出力し、計時した経過時間に応じて課金される課金情報を取得し、取得した課金情報を前記受信先識別情報に係る携帯端末装置へ出力する処理をコンテンツ出力装置に実行させる。 一態様のプログラムは、近距離通信に係る通信プロトコルを用いて情報を送信する送信装置を識別するための送信先識別情報及び該送信先識別情報を受信した携帯端末装置を識別するための受信先識別情報を前記送信装置から取得し、コンテンツを提供するコンテンツ提供装置へ前記送信先識別情報を出力し、前記送信先識別情報に応じたコンテンツを前記コンテンツ提供装置から取得し、取得したコンテンツを前記受信先識別情報に係る携帯端末装置へ出力し、前記受信先識別情報をコンテンツ提供装置へ出力し、前記携帯端末装置が前記送信装置から近距離通信に係る通信プロトコルにより第１通信部を介して送信先識別情報を受信した後に、前記携帯端末装置自身に設定された言語設定情報が前記第１通信部とは異なる通信プロトコルを用いる第２通信部を介して出力された場合に、該言語設定情報を取得し、取得した言語設定情報を前記コンテンツ提供装置へ出力し、前記言語設定情報に対応する言語に係るコンテンツを前記コンテンツ提供装置から取得し、取得したコンテンツを前記受信先識別情報に係る携帯端末装置へ出力する処理をコンテンツ出力装置に実行させる。【００１３】  一態様のコンテンツ出力方法は、近距離通信に係る通信プロトコルを用いて情報を送信する送信装置を識別するための送信先識別情報及び該送信先識別情報を受信した携帯端末装置を識別するための受信先識別情報を前記送信装置から取得し、コンテンツを提供するコンテンツ提供装置へ前記送信先識別情報を出力し、前記送信先識別情報に応じたコンテンツを前記コンテンツ提供装置から取得し、取得したコンテンツを前記受信先識別情報に係る携帯端末装置へ出力し、一又は複数の送信先識別情報を取得し、取得した一又は複数の送信先識別情報を分類したグループを特定し、特定したグループの送信先識別情報の内、いずれか１つの送信先識別情報を取得してから特定したグループにおける取得した送信先識別情報の取得が終了するまでの経過時間を計時し、計時した経過時間を前記コンテンツ提供装置へ出力し、計時した経過時間に応じて設定され、勤怠管理の情報を示す勤怠情報を取得し、取得した勤怠情報を前記受信先識別情報に係る携帯端末装置へ出力する処理をコンテンツ出力装置に実行させる。 一態様のコンテンツ出力方法は、近距離通信に係る通信プロトコルを用いて情報を送信する送信装置を識別するための送信先識別情報及び該送信先識別情報を受信した携帯端末装置を識別するための受信先識別情報を前記送信装置から取得し、コンテンツを提供するコンテンツ提供装置へ前記送信先識別情報を出力し、前記送信先識別情報に応じたコンテンツを前記コンテンツ提供装置から取得し、取得したコンテンツを前記受信先識別情報に係る携帯端末装置へ出力し、前記受信先識別情報をコンテンツ提供装置へ出力し、前記受信先識別情報に対応づけられた氏名、前記受信先識別情報を取得した時間の履歴を示す履歴情報及び前記送信先識別情報に対応づけられた位置情報を前記コンテンツ提供装置から取得し、取得した氏名、前記履歴情報及び前記位置情報を前記携帯端末装置とは異なる他の携帯端末装置へ出力する処理をコンテンツ出力装置に実行させる。 一態様のコンテンツ出力方法は、近距離通信に係る通信プロトコルを用いて情報を送信する送信装置を識別するための送信先識別情報及び該送信先識別情報を受信した携帯端末装置を識別するための受信先識別情報を前記送信装置から取得し、コンテンツを提供するコンテンツ提供装置へ前記送信先識別情報を出力し、前記送信先識別情報に応じたコンテンツを前記コンテンツ提供装置から取得し、取得したコンテンツを前記受信先識別情報に係る携帯端末装置へ出力し、前記受信先識別情報をコンテンツ提供装置へ出力し、一又は複数の送信先識別情報を取得し、取得した一又は複数の送信先識別情報を分類したグループを特定し、特定したグループの送信先識別情報の内、いずれか１つの送信先識別情報を取得してから特定したグループにおける取得した送信先識別情報の取得が終了するまでの経過時間を計時し、計時した経過時間を前記コンテンツ提供装置へ出力し、計時した経過時間に応じて課金される課金情報を取得し、取得した課金情報を前記受信先識別情報に係る携帯端末装置へ出力する処理をコンテンツ出力装置に実行させる。 一態様のコンテンツ出力方法は、近距離通信に係る通信プロトコルを用いて情報を送信する送信装置を識別するための送信先識別情報及び該送信先識別情報を受信した携帯端末装置を識別するための受信先識別情報を前記送信装置から取得し、コンテンツを提供するコンテンツ提供装置へ前記送信先識別情報を出力し、前記送信先識別情報に応じたコンテンツを前記コンテンツ提供装置から取得し、取得したコンテンツを前記受信先識別情報に係る携帯端末装置へ出力し、前記受信先識別情報をコンテンツ提供装置へ出力し、前記携帯端末装置が前記送信装置から近距離通信に係る通信プロトコルにより第１通信部を介して送信先識別情報を受信した後に、前記携帯端末装置自身に設定された言語設定情報が前記第１通信部とは異なる通信プロトコルを用いる第２通信部を介して出力された場合に、該言語設定情報を取得し、取得した言語設定情報を前記コンテンツ提供装置へ出力し、前記言語設定情報に対応する言語に係るコンテンツを前記コンテンツ提供装置から取得し、取得したコンテンツを前記受信先識別情報に係る携帯端末装置へ出力する処理をコンテンツ出力装置に実行させる。
【発明の効果】
【００１４】
一態様によれば、コンテンツ出力装置はビーコンＩＤを取得し、取得したビーコンＩＤに応じてコンテンツを出力するため、コンテンツの出力の遅延を防止することができる。
【図面の簡単な説明】
【００１５】
【図１】コンテンツ出力システムの概要を示す模式図である。
【図２】送信装置のハードウェア群を示すブロック図である。
【図３】携帯端末装置のハードウェア群を示すブロック図である。
【図４】コンテンツ出力装置のハードウェア群を示すブロック図である。
【図５】位置情報ＤＢに格納されているデータの一例を示す図である。
【図６】サーバ装置のハードウェア群を示すブロック図である。
【図７】コンテンツＤＢに格納されているデータの一例を示す図である。
【図８】コンテンツ出力システムの処理手順を示したフローチャートである。
【図９】実施の形態２に係るサーバ装置のハードウェア群を示すブロック図である。
【図１０】携帯端末装置のハードウェア群を示すブロック図である。
【図１１】実施の形態２に係る位置情報ＤＢに格納されているデータの一例を示す図である。
【図１２】履歴情報ＤＢに格納されているデータの一例を示す図である。
【図１３】取得した取得日時及び氏名情報に基づいて出力した表示部を示す説明図である。
【図１４】実施の形態２に係るコンテンツ出力システムの処理手順を示したフローチャートである。
【図１５】実施の形態２に係るコンテンツ出力システムの処理手順を示したフローチャートである。
【図１６】実施の形態３に係るサーバ装置のハードウェア群を示すブロック図である。
【図１７】端末位置情報ＤＢに格納されているデータの一例を示す図である。
【図１８】取得した取得日時及び氏名情報に基づいて出力した表示部を示す説明図である。
【図１９】実施の形態３に係るコンテンツ出力システムの処理手順を示したフローチャートである。
【図２０】実施の形態４に係るサーバ装置のハードウェア群を示すブロック図である。
【図２１】価格情報ＤＢに格納されているデータの一例を示す図である。
【図２２】取得した価格情報及び氏名情報に基づいて出力した表示部を示す説明図である。
【図２３】実施の形態４に係るコンテンツ出力システムの処理手順を示したフローチャートである。
【図２４】実施の形態５に係るサーバ装置のハードウェア群を示すブロック図である。
【図２５】実施の形態５に係る位置情報ＤＢに格納されているデータの一例を示す図である。
【図２６】課金情報ＤＢに格納されているデータの一例を示す図である。
【図２７】複数の送信装置を設置した映画館、劇場又はビル等の施設を示す模式図である。
【図２８】実施の形態５に係るコンテンツ出力システムの処理手順を示したフローチャートである。
【図２９】実施の形態５に係るコンテンツ出力システムの処理手順を示したフローチャートである。
【図３０】実施の形態６に係る課金情報ＤＢに格納されているデータの一例を示す図である。
【図３１】実施の形態６に係る施設を示す模式図である。
【図３２】実施の形態７に係るコンテンツ出力システムの処理手順を示したフローチャートである。
【図３３】実施の形態７に係るコンテンツ出力システムの処理手順を示したフローチャートである。
【図３４】実施の形態７に係るサーバ装置のハードウェア群を示すブロック図である。
【図３５】勤怠情報ＤＢに格納されているデータの一例を示す図である。
【図３６】実施の形態７に係るＣＰＵの処理手順を示したフローチャートである。
【図３７】実施の形態８に係るサーバ装置のハードウェア群を示すブロック図である。
【図３８】効果情報ＤＢに格納されているデータの一例を示す図である。
【図３９】実施の形態８に係るコンテンツ出力システムの動作を示す模式図である。
【図４０】実施の形態８に係るコンテンツ出力システムの処理手順を示したフローチャートである。
【図４１】実施の形態８に係るコンテンツ出力システムの処理手順を示したフローチャートである。
【図４２】実施の形態８に係るコンテンツ出力システムの処理手順を示したフローチャートである。
【図４３】実施の形態９に係る携帯端末装置のハードウェア群を示すブロック図である。
【図４４】実施の形態９に係るサーバ装置のハードウェア群を示すブロック図である。
【図４５】案内情報ＤＢに格納されているデータの一例を示す図である。
【図４６】取得したメッセージ及び音声情報に基づいて出力した表示部を示す説明図である。
【図４７】実施の形態９に係るコンテンツ出力システムの処理手順を示したフローチャートである。
【図４８】実施の形態９に係るコンテンツ出力システムの処理手順を示したフローチャートである。
【図４９】実施の形態１０に係るサーバ装置のハードウェア群を示すブロック図である。
【図５０】属性情報ＤＢに格納されているデータの一例を示す図である。
【図５１】端末数ＤＢに格納されているデータの一例を示す図である。
【図５２】実施の形態１０に係るコンテンツ出力システムを示す模式図である。
【図５３】ＣＰＵが端末数ＤＢに基づいて出力した表示部を示す模式図である。
【図５４】実施の形態１０に係るコンテンツ出力システムの処理手順を示したフローチャートである。
【図５５】実施の形態１０に係るコンテンツ出力システムの処理手順を示したフローチャートである。
【図５６】実施の形態１１に係る携帯端末装置のハードウェア群を示すブロック図である。
【図５７】実施の形態１１に係るコンテンツ処理システムの処理手順を示したフローチャートである。
【発明を実施するための形態】
【００１６】
実施の形態１
以下本実施の形態を、図面を参照して説明する。以下の説明では各図中の上下、左右を使用する。図１はコンテンツ出力システムの概要を示す模式図である。コンテンツ出力システムは送信装置１Ａ、１Ｂ又は１Ｃ等と、各種情報を取得する携帯端末装置２Ａ、２Ｂ又は２Ｃ等と、インターネット、ＬＡＮ(Local Area Network)または携帯電話網等の通信網Ｎを介して接続されたコンテンツ出力装置３及びサーバ装置（コンテンツ提供装置）４Ａ、４Ｂ又は４Ｃ等とを備える。以下、送信装置１Ａ、１Ｂ又は１Ｃは場合により代表して送信装置１とし、携帯端末装置２Ａ、２Ｂ又は２Ｃは場合により代表して携帯端末装置２とし、サーバ装置４Ａ、４Ｂ又は４Ｃは場合により代表してサーバ装置４とする。
【００１７】
以下ではコンテンツ出力システムの概要を説明する。送信装置１は所定の通信可能範囲（例えば１ｍ〜１０ｍ）内における近距離通信に係る通信プロトコルを用いて情報を送信する無線送信装置であり、例えばBluetooth（登録商標）の通信プロトコルを用いたビーコンである。なお、送信装置１は無線モジュールであってもよい。あるいは送信装置１は光又は超音波等により情報を送信する機器であってもよい。以下では送信装置１をビーコンとして説明する。送信装置１Ａ、１Ｂ又は１Ｃは夫々店舗７Ａ、７Ｂ又は７Ｃに設置されており、自身を識別するための送信先識別情報（以下ビーコンＩＤという）を携帯端末装置２Ａ、２Ｂ又は２Ｃへ送信する。店舗７Ａ、７Ｂ又は７Ｃは場合により代表して店舗７とする。
【００１８】
携帯端末装置２は各種情報をコンテンツ出力装置３へ出力する機器であり、例えばスマートフォン、携帯電話、ＰＤＡ（Personal Digital Assistance）、ゲーム機又はデジタルカメラ等である。以下、本実施形態における携帯端末装置２はスマートフォンであるとして説明する。ビーコンＩＤを受信した携帯端末装置２Ａ、２Ｂ又は２Ｃは自身を識別するための受信先識別情報（以下端末ＩＤという）及びビーコンＩＤをコンテンツ出力装置３のＩＰアドレスを指定することでコンテンツ出力装置３へ出力する。
【００１９】
コンテンツ出力装置３はコンテンツを出力する機器であり、例えばコンピュータ又はサーバコンピュータ等である。ビーコンＩＤ及び端末ＩＤを取得したコンテンツ出力装置３はビーコンＩＤをサーバ装置４へ出力する。
【００２０】
サーバ装置４はコンテンツを提供する機器であり、例えばコンピュータ又はサーバコンピュータ等である。ビーコンＩＤを取得したサーバ装置４はビーコンＩＤに応じたコンテンツをコンテンツ出力装置３へ出力する。コンテンツを取得したコンテンツ出力装置３はコンテンツを端末ＩＤに係る携帯端末装置２へ出力する
【００２１】
以下ではコンテンツ出力システムの詳細を説明する。図２は送信装置１のハードウェア群を示すブロック図である。図２に示す送信装置１は、ＣＰＵ(Central Processing Unit)１１、記憶部１２、ＲＡＭ１３及び送信部１４を備える。
【００２２】
ＣＰＵ１１は、バスを介してハードウェア各部と接続されている。ＣＰＵ１１は例えば一又は複数のＣＰＵ又はマルチコアＣＰＵ等を備える。ＣＰＵ１１は、記憶部１２に記憶されたプログラム１２Ｐに従い、ハードウェアの各部の制御及び送信部１４へ自身を識別するためのビーコンＩＤを含むデジタル信号の出力を行う。
【００２３】
ＲＡＭ１３は例えばＳＲＡＭ、ＤＲＡＭ又はフラッシュメモリ等である。ＲＡＭ１３は、記憶部としても機能し、ＣＰＵ１１による各種プログラムの実行時に発生する種々のデータを一時的に記憶する。
【００２４】
記憶部１２は例えばＥＥＰＲＯＭ（Electrically Erasable Programmable Read-Only Memory）等の不揮発性メモリである。記憶部１２にはＣＰＵ１１が処理を行う際に必要とする種々のデータ及びプログラム１２Ｐを格納する。送信部１４は、例えばBluetoothモジュールであり、ＣＰＵ１１から出力されたデジタル信号を無線信号に変換して、ビーコンＩＤを含む無線信号を携帯端末装置２へ出力する。
【００２５】
図３は携帯端末装置２のハードウェア群を示すブロック図である。図３に示す携帯端末装置２は、ＣＰＵ２１、記憶部２２、ＲＡＭ２３、入力部２４、表示部２５、通信部２６及び受信部２７を備える。携帯端末装置２のＣＰＵ２１及びＲＡＭ２３の作用及び動作は送信装置１のＣＰＵ１１及びＲＡＭ１３の作用及び動作と同様であるため、記載を省略する。
【００２６】
記憶部２２は例えばＥＥＰＲＯＭ、ハードディスク又はフラッシュメモリ等である。記憶部２２にはＣＰＵ２１が処理を行う際に必要とする種々のデータ、プログラム２２Ｐ及びコンテンツ出力装置３のＩＰアドレスを格納する。
【００２７】
入力部２４はタッチパネル等の入力デバイスであり、受け付けた操作情報をＣＰＵ２１へ出力する。表示部２５はＣＰＵ２１から出力された画像データを出力する。表示部２５は例えば液晶画面である。タッチパネルは表示部２５の表示画面を覆うように設けられている。タッチパネルは例えば、タップ、フリック又はスワイプ等のユーザの指先のタッチ操作により表示部２５の表示画面上における位置指定を受け付ける。タッチパネルはユーザの指先が接触する接触点の表示画面上の座標を検出し、検出した座標とともにユーザが行ったタッチ操作の情報をＣＰＵ２１へ出力する。なお、入力部２４はユーザの指示を受け付けるための各種ボタン、指示の確定を受け付けるエンターキー又はテンキー等でもよい。
【００２８】
通信部２６は、ネットワークインタフェースである。通信部２６は送信装置１から無線信号を受信した場合、無線信号に含まれるビーコンＩＤをＣＰＵ２１へ出力する。ＣＰＵ２１はビーコンＩＤ及び無線信号を受信した携帯端末装置２を識別するための端末ＩＤ（受信先識別情報）を通信部２６からコンテンツ出力装置３へ出力する。受信部２７は、例えばBluetoothモジュールであり、受信した無線信号をデジタル信号に変換してＣＰＵ１１へ出力する。
【００２９】
図４はコンテンツ出力装置３のハードウェア群を示すブロック図である。図４に示すコンテンツ出力装置３は、ＣＰＵ３１、記憶部３２、ＲＡＭ３３、入力部３４、表示部３５、通信部３６及び計時部３７を備える。コンテンツ出力装置３のＣＰＵ３１、ＲＡＭ３３及び表示部３５の作用及び動作は携帯端末装置２のＣＰＵ２１、ＲＡＭ２３及び表示部２５の作用及び動作と同様であるため、記載を省略する。
【００３０】
記憶部３２は例えばハードディスクまたは大容量メモリ等である。記憶部３２にはＣＰＵ３１が処理を行う際に必要とする種々のデータ、プログラム３２Ｐ及び位置情報ＤＢ３２１を格納する。
【００３１】
入力部３４はマウス、キーボード又はタッチパネル等の入力デバイスであり、受け付けた操作情報をＣＰＵ３１へ出力する。通信部３６は、例えば無線ＬＡＮカード又は携帯電話用通信モジュール等であり、通信網Ｎを介して各種情報を携帯端末装置２との間で送受信する。計時部３７は、現在の時点、例えば日付又は時刻等の時間を計時し、ＣＰＵ３１の要求に従って、計時結果をＣＰＵ３１に出力する。
【００３２】
図５は位置情報ＤＢ３２１に格納されているデータの一例を示す図である。位置情報ＤＢ３２１は端末ＩＤ、ビーコンＩＤ及びサーバ装置４を識別するためのサーバ識別情報（以下、サーバ識別情報はサーバＩＤとする）に関するデータを記憶するデータベースである。位置情報ＤＢ３２１は端末ＩＤ列、ビーコンＩＤ列及びサーバＩＤ列等を備える。端末ＩＤ列には端末ＩＤが記憶される。ビーコンＩＤ列にはビーコンＩＤが記憶される。サーバＩＤ列にはサーバＩＤが記憶される。ＣＰＵ３１は端末ＩＤ及びビーコンＩＤを通信部３６で取得した場合、位置情報ＤＢ３２１に端末ＩＤ及びビーコンＩＤを記憶する。
【００３３】
図６はサーバ装置４のハードウェア群を示すブロック図である。図５に示すサーバ装置４は、ＣＰＵ４１、記憶部４２、ＲＡＭ４３、入力部４４、表示部４５及び通信部４６を備える。ＣＰＵ４１、ＲＡＭ４３、入力部４４、表示部４５及び計時部４７の作用及び動作は、ＣＰＵ３１、ＲＡＭ３３、入力部３４、表示部３５及び計時部３７の作用及び動作と同様であるため、記載を省略する。
【００３４】
記憶部４２は例えばハードディスクまたは大容量メモリ等である。記憶部４２にはＣＰＵ４１が処理を行う際に必要とする種々のデータ、プログラム４２Ｐ及びコンテンツＤＢ４２０を格納する。通信部４６は、例えば無線ＬＡＮカード又は携帯電話用通信モジュール等であり、通信網Ｎを介して各種情報をコンテンツ出力装置３との間で取得又は出力する。
【００３５】
図７はコンテンツＤＢ４２０に格納されているデータの一例を示す図である。コンテンツＤＢ４２０はビーコンＩＤに対応づけられたコンテンツに関するデータを記憶するデータベースである。コンテンツＤＢ４２０はビーコンＩＤ列及びコンテンツ列等を備える。ビーコンＩＤ列はビーコンＩＤが記憶される。コンテンツ列はコンテンツが記憶される。コンテンツＤＢ４２０は記憶部４２に予め記憶されている。
【００３６】
本実施形態におけるコンテンツ出力システムの作用及び動作を図５を参照しつつ説明する。送信装置１のＣＰＵ１１は無線信号を送信部１４から携帯端末装置２へ送信する。携帯端末装置２のＣＰＵ２１は受信部２７で送信装置１から送信された無線信号を受信する。ＣＰＵ２１は無線信号に含まれるビーコンＩＤを取得する。ＣＰＵ２１は取得したビーコンＩＤ及び自身の端末ＩＤを通信部２６からコンテンツ出力装置３のＩＰアドレスを指定してコンテンツ出力装置３へ出力する。
【００３７】
コンテンツ出力装置３のＣＰＵ３１は通信部３６でビーコンＩＤ及び端末ＩＤを携帯端末装置２から取得する。ＣＰＵ３１は位置情報ＤＢ３２１を参照し、ビーコンＩＤ及び端末ＩＤを通信部３６からビーコンＩＤに対応づけられたサーバＩＤに係るサーバ装置４へ出力する。
【００３８】
サーバ装置４のＣＰＵ４１はビーコンＩＤ及び端末ＩＤを通信部４６でコンテンツ出力装置３から取得する。ＣＰＵ４１はビーコンＩＤが所定のビーコンＩＤであるか否かを判定する。所定のビーコンＩＤとは例えば「１１１」である。ＣＰＵ４１はビーコンＩＤが所定のビーコンＩＤであると判定した場合、コンテンツＤＢ４２０を参照し、ビーコンＩＤに対応づけられたコンテンツを通信部４６からコンテンツ出力装置３へ出力する。
【００３９】
ＣＰＵ３１はコンテンツを通信部３６でサーバ装置４から取得する。ＣＰＵ３１はコンテンツを通信部３６から携帯端末装置２へ出力する。ＣＰＵ２１はコンテンツを通信部２６でコンテンツ出力装置３から取得する。ＣＰＵ２１はコンテンツに基づいて表示部２５を出力する。
【００４０】
具体的なコンテンツ出力システムの作用及び動作は以下の通りである。送信装置１ＡのＣＰＵ１１は無線信号を送信部１４から携帯端末装置２Ａへ送信する。携帯端末装置２ＡのＣＰＵ２１は受信部２７で送信装置１から送信された無線信号を受信する。
【００４１】
ＣＰＵ２１は無線信号に含まれるビーコンＩＤ１１１を取得する。ＣＰＵ２１は取得したビーコンＩＤ１１１及び端末ＩＤ１１１１１を、コンテンツ出力装置３のＩＰアドレスを指定して、通信部２６からコンテンツ出力装置３へ出力する。
【００４２】
コンテンツ出力装置３のＣＰＵ３１は通信部３６でビーコンＩＤ１１１及び端末ＩＤ１１１１１を携帯端末装置２から取得する。ＣＰＵ３１は位置情報ＤＢ３２１を参照し、ビーコンＩＤ１１１及び端末ＩＤ１１１１１を、通信部３６でビーコンＩＤ１１１に対応づけられたサーバＩＤ１１１１に係るサーバ装置４へ出力する。
【００４３】
サーバ装置４のＣＰＵ４１はビーコンＩＤ１１１及び端末ＩＤ１１１１１を通信部４６でコンテンツ出力装置３から取得する。ＣＰＵ４１はビーコンＩＤ１１１が所定のビーコンＩＤ１１１であると判定する。ＣＰＵ４１はコンテンツＤＢ４２０を参照し、ビーコンＩＤ１１１に対応づけられたコンテンツＡを通信部４６からコンテンツ出力装置３へ出力する。
【００４４】
ＣＰＵ３１はコンテンツを通信部３６で取得する。ＣＰＵ３１はコンテンツを通信部３６からビーコンＩＤ及び端末ＩＤを送信してきた携帯端末装置２Ａへ出力する。ＣＰＵ２１はコンテンツを通信部２６で取得する。ＣＰＵ２１はコンテンツに基づいて表示部２５を出力する。コンテンツ出力システムの携帯端末装置２Ｂ〜２Ｃは携帯端末装置２Ａと同様の作用及び動作を行うため、簡潔のため説明を省略する。
【００４５】
次に、フローチャートを用いてコンテンツ出力システムの処理手順を説明する。図８はコンテンツ出力システムの処理手順を示したフローチャートである。携帯端末装置２のＣＰＵ２１は通信部２６で無線信号を受信したか否かを判定する（ステップＳ１）。ＣＰＵ２１は通信部２６で無線信号を受信しなかったと判定した場合（ステップＳ１：ＮＯ）、ステップＳ１に戻り、無線信号を受信するまで待機する。ＣＰＵ２１は通信部２６で無線信号を受信したと判定した場合（ステップＳ１：ＹＥＳ）、無線信号に含まれるビーコンＩＤを取得する（ステップＳ２）。ＣＰＵ２１は取得したビーコンＩＤ及び自身の端末ＩＤを通信部２６からコンテンツ出力装置３へ出力する（ステップＳ３）。
【００４６】
コンテンツ出力装置３のＣＰＵ３１は通信部３６でビーコンＩＤ及び端末ＩＤを送信端末装置２から取得する（ステップＳ４）。ＣＰＵ３１は位置情報ＤＢ３２１を参照し、ビーコンＩＤ及び端末ＩＤを、通信部３６でビーコンＩＤに対応づけられたサーバＩＤに係るサーバ装置４へ出力する（ステップＳ５）。
【００４７】
サーバ装置４のＣＰＵ４１は通信部４６でビーコンＩＤ及び端末ＩＤをコンテンツ出力装置３から取得する（ステップＳ６）。ＣＰＵ４１は取得したビーコンＩＤが所定のビーコンＩＤであるか否かを判定する（ステップＳ７）。所定のビーコンＩＤとは例えば「１１１」である。ＣＰＵ４１はビーコンＩＤが所定のビーコンＩＤでないと判定した場合（ステップＳ７：ＮＯ）、処理を終了する。ＣＰＵ４１はビーコンＩＤが所定のビーコンＩＤであると判定した場合（ステップＳ７：ＹＥＳ）、コンテンツＤＢ４２０を参照し、ビーコンＩＤに対応づけられたコンテンツを通信部４６からコンテンツ出力装置３へ出力し（ステップＳ８）、処理を終了する。
【００４８】
ＣＰＵ３１は通信部３６でコンテンツをサーバ装置４から取得する（ステップＳ９）。ＣＰＵ３１はコンテンツを通信部３６から携帯端末装置２へ出力する（ステップＳ１０）。ＣＰＵ２１は通信部２６でコンテンツをコンテンツ出力装置３から取得する（ステップＳ１１）。ＣＰＵ２１は取得したコンテンツを表示部２５に出力し（ステップＳ１２）、処理を終了する。
【００４９】
本実施形態におけるコンテンツ出力装置３はビーコンＩＤを取得し、取得したビーコンＩＤに応じてコンテンツを出力するため、コンテンツの出力の遅延を防止することができる。
【００５０】
実施の形態２
図９は実施の形態２に係るサーバ装置４のハードウェア群を示すブロック図である。以下、特に説明する構成、作用以外の構成及び作用は実施の形態１と同等であり、簡潔のため記載を省略する。サーバ装置４の記憶部４２は履歴情報ＤＢ４２１を備える。図１０は携帯端末装置５のハードウェア群を示すブロック図である。図１０に示す携帯端末装置５は、ＣＰＵ５１、記憶部５２、ＲＡＭ５３、入力部５４、表示部５５、通信部５６及び受信部５７を備える。携帯端末装置５の各部の動作及び作用は携帯端末装置２の各部の動作及び作用と同一であるため、記載を省略する。
【００５１】
図１１は実施の形態２に係る位置情報ＤＢ３２１に格納されているデータの一例を示す図である。位置情報ＤＢ３２１はさらにグループ列を備える。グループ列にはビーコンＩＤを分類したグループの名称が記憶される。グループ列は例えば、グループＡ又はグループＢ等が記憶される。位置情報ＤＢ３２１のグループ列は予め記憶されている。
【００５２】
図１２は履歴情報ＤＢ４２１に格納されているデータの一例を示す図である。履歴情報ＤＢ４２１はビーコンＩＤを取得した履歴を示す履歴情報に関するデータを記憶するデータベースである。履歴情報ＤＢ４２１は端末ＩＤ列、ビーコンＩＤ列、グループ列、前回来店日時列及び氏名列等を備える。履歴情報ＤＢ４２１の端末ＩＤ列、ビーコンＩＤ列及びグループ列の作用及び動作は位置情報ＤＢ３２１の端末ＩＤ列、ビーコンＩＤ列及びグループ列の作用及び動作と同様であるため、記載を省略する。前回来店日時列は履歴情報が記憶される。履歴情報とは例えば端末ＩＤ及びビーコンＩＤを取得した取得日時である。氏名列には端末ＩＤに対応づけられた氏名を示す氏名情報が記憶される。
【００５３】
実施の形態２におけるコンテンツ出力システムを利用するユーザは、サービスを利用する前に、予めコンテンツ出力システムにアクセスし、氏名登録を行う。サーバ装置４からコンテンツ出力装置３を介して携帯端末装置２へ氏名登録の要求があった場合、ＣＰＵ２１は氏名情報の入力を受け付ける。ＣＰＵ２１は受け付けた氏名情報を端末識別情報及び送信先識別情報とともにコンテンツ出力装置３を介してサーバ装置４へ出力し、出力した氏名情報を上述のように履歴情報、端末識別情報及び送信先識別情報に対応づけて履歴情報ＤＢ４２１に登録する。以下、特に断りがない限り、ユーザは携帯端末装置２で氏名登録を行っているものとする。なお、オペレータが氏名登録を行ってもよい。
【００５４】
実施の形態２におけるコンテンツ出力システムの作用及び動作を図１１及び１２を参照しつつ説明する。携帯端末装置２のＣＰＵ２１は通信部２６で一又は複数の無線信号を受信したか否かを判定する。ＣＰＵ２１は通信部２６で無線信号を受信したと判定した場合、一又は複数の無線信号に含まれる一又は複数のビーコンＩＤを取得する。ＣＰＵ２１は取得した一又は複数のビーコンＩＤ及び自身の端末ＩＤを通信部２６からコンテンツ出力装置３へ出力する。
【００５５】
コンテンツ出力装置３のＣＰＵ３１は通信部３６で一又は複数のビーコンＩＤ及び端末ＩＤを送信端末装置２から取得する。ＣＰＵ３１は位置情報ＤＢ３２１を参照し、取得した一又は複数のビーコンＩＤのグループを特定する。ＣＰＵ３１は特定したグループにおける全てのビーコンＩＤの取得が終了したか否かを判定する。ＣＰＵ３１は特定したグループにおける全てのビーコンＩＤを取得が終了したと判定した場合、特定したグループのビーコンＩＤ、端末ＩＤ及びグループを通信部３６からサーバ装置４へ出力する。
【００５６】
サーバ装置４のＣＰＵ４１は通信部４６で特定したグループのビーコンＩＤ、端末ＩＤ及びグループをコンテンツ出力装置３から取得する。ＣＰＵ４１は取得したビーコンＩＤのグループが所定のグループであるか否かを判定する。ＣＰＵ４１はグループが所定のグループであると判定した場合、取得日時及び氏名情報を通信部４６からコンテンツ出力装置３へ出力する。ＣＰＵ４１は計時部４７で計時した取得日時を特定し、特定した取得日時を履歴情報ＤＢ４２１に記憶し、処理を終了する。
【００５７】
ＣＰＵ３１は取得日時及び氏名情報を通信部３６でサーバ装置４から取得する。ＣＰＵ３１は端末ＩＤに基づいて取得日時及び氏名情報を通信部３６から携帯端末装置２へ出力する。ＣＰＵ２１は取得日時及び氏名情報を通信部２６でコンテンツ出力装置３から取得する。ＣＰＵ２１は取得日時及び氏名情報を表示部２５に出力する。
【００５８】
実施の形態２における具体的なコンテンツ出力システムの作用及び動作は以下の通りである。携帯端末装置２を有するユーザが店舗に入る。ＣＰＵ２１は通信部２６で送信装置１Ａ〜１Ｄの無線信号を受信したと判定する。ＣＰＵ２１は送信装置１Ａ〜１Ｄの無線信号に含まれるビーコンＩＤ１１１を取得する。ＣＰＵ２１は取得したビーコンＩＤ１１１及び自身の端末ＩＤ１１１１１を通信部２６からコンテンツ出力装置３へ出力する。
【００５９】
コンテンツ出力装置３のＣＰＵ３１は通信部３６でビーコンＩＤ１１１及び端末ＩＤ１１１１１を携帯端末装置２から取得する。ＣＰＵ３１は位置情報ＤＢ３２１を参照し、取得したビーコンＩＤ１１１のグループがグループＡであると特定する。
【００６０】
ＣＰＵ３１はグループＡのビーコンＩＤ１１１及び端末ＩＤ１１１１１を通信部３６からサーバ装置４へ出力する。
【００６１】
サーバ装置４のＣＰＵ４１は通信部４６でグループＡのビーコンＩＤ１１１及び端末ＩＤ１１１１１をコンテンツ出力装置３から取得する。ＣＰＵ４１はグループＡが所定のグループＡであると判定する。ＣＰＵ４１は履歴情報ＤＢ４２１に記憶された取得日時２０１４／２／１及び氏名Ａを通信部４６からコンテンツ出力装置３へ出力する。ＣＰＵ４１は計時部４７で計時した取得日時を特定し、特定した取得日時２０１４／２／１を履歴情報ＤＢ４２１に記憶する。
【００６２】
ＣＰＵ３１は取得日時２０１４／２／１及び氏名Ａを通信部３６でサーバ装置４から取得する。ＣＰＵ３１は取得日時２０１４／２／１及び氏名Ａを通信部３６から携帯端末装置５へ出力する。ＣＰＵ５１は取得日時２０１４／２／１及び氏名Ａを通信部５６でコンテンツ出力装置３から取得する。ＣＰＵ５１は取得日時２０１４／２／１及び氏名Ａに基づいて表示部５５を出力する。
【００６３】
図１３は取得した取得日時及び氏名情報に基づいて出力した表示部５５を示す説明図である。図１３に示すように、ＣＰＵ５１は例えば表示部５５に「日頃頻繁にご利用戴いているＡさまが来館なされました。前回のご利用は２０１４／２／１です。」を出力する。コンテンツ出力システムの携帯端末装置２Ｂ〜２Ｃは携帯端末装置２Ａと同様の作用及び動作を行うため、簡潔のため説明を省略する。
【００６４】
図１４〜図１５は実施の形態２に係るコンテンツ出力システムの処理手順を示したフローチャートである。携帯端末装置２のＣＰＵ２１は通信部２６で一又は複数の無線信号を受信したか否かを判定する（ステップＳ１３）。ＣＰＵ２１は通信部２６で無線信号を受信しなかったと判定した場合（ステップＳ１３：ＮＯ）、ステップＳ１３に処理を戻し、無線信号を受信するまで待機する。ＣＰＵ２１は通信部２６で無線信号を受信したと判定した場合（ステップＳ１３：ＹＥＳ）、一又は複数の無線信号に含まれる一又は複数のビーコンＩＤを取得する（ステップＳ１４）。ＣＰＵ２１は取得した一又は複数のビーコンＩＤ及び自身の端末ＩＤを通信部２６からコンテンツ出力装置３へ出力する（ステップＳ１５）。
【００６５】
コンテンツ出力装置３のＣＰＵ３１は通信部３６で一又は複数のビーコンＩＤ及び端末ＩＤを携帯端末装置２から取得する（ステップＳ１６）。ＣＰＵ３１は位置情報ＤＢ３２１を参照し、取得した一又は複数のビーコンＩＤのグループを特定する（ステップＳ１７）。ＣＰＵ３１は特定したグループにおける全てのビーコンＩＤの取得が終了したか否かを判定する（ステップＳ１８）。ＣＰＵ３１は特定したグループにおける全てのビーコンＩＤの取得が終了しなかったと判定した場合（ステップＳ１８：ＮＯ）、ステップＳ１８に処理を戻し、特定したグループにおける全てのビーコンＩＤを取得が終了するまで待機する。ＣＰＵ３１は特定したグループにおける全てのビーコンＩＤを取得が終了したと判定した場合（ステップＳ１８：ＹＥＳ）、特定したグループのビーコンＩＤ、端末ＩＤ及びグループを通信部３６からサーバ装置４へ出力する（ステップＳ１９）。
【００６６】
サーバ装置４のＣＰＵ４１は通信部４６で特定したグループのビーコンＩＤ、端末ＩＤ及びグループをコンテンツ出力装置３から取得する（ステップＳ２０）。ＣＰＵ４１は取得したビーコンＩＤのグループが所定のグループであるか否かを判定する（ステップＳ２１）。ＣＰＵ４１はグループが所定のグループでないと判定した場合（ステップＳ２１：ＮＯ）、処理をステップＳ２３に移す。ＣＰＵ４１はグループが所定のグループであると判定した場合（ステップＳ２１：ＹＥＳ）、取得日時及び氏名情報を通信部４６からコンテンツ出力装置３へ出力する（ステップＳ２２）。ＣＰＵ４１はステップＳ２１又はステップＳ２２の処理を終了した後、計時部４７で計時した取得日時を特定し、特定した取得日時を履歴情報ＤＢ４２１に記憶し（ステップＳ２３）、処理を終了する。
【００６７】
ＣＰＵ３１は取得日時及び氏名情報を通信部３６でサーバ装置４から取得する（ステップＳ２４）。ＣＰＵ３１は端末ＩＤに基づいて取得日時及び氏名情報を通信部３６から携帯端末装置２へ出力する（ステップＳ２５）。ＣＰＵ２１は取得日時及び氏名情報を通信部２６でコンテンツ出力装置３から取得する（ステップＳ２６）。ＣＰＵ２１は取得日時及び氏名情報を表示部２５に出力し（ステップＳ２７）、処理を終了する。
【００６８】
本実施形態におけるコンテンツ出力装置３は取得日時及び氏名情報を出力するため、コンテンツ出力装置３に係るユーザは前回訪れた携帯端末装置２に係るユーザの氏名情報をすぐに確認できる。
【００６９】
なお、本実施形態では取得日時及び氏名情報を表示部５５に出力したが、コンテンツ出力装置３から携帯端末装置２へ取得日時及び氏名情報を出力し、携帯端末装置２の表示部２５に取得日時及び氏名情報を出力するようにしてもよい。
【００７０】
実施の形態３
図１６は実施の形態３に係るサーバ装置４のハードウェア群を示すブロック図である。以下、特に説明する構成、作用以外の構成及び作用は実施の形態２と同等であり、簡潔のため記載を省略する。サーバ装置４の記憶部４２はさらに端末位置情報ＤＢ４２２を備える。
【００７１】
図１７は端末位置情報ＤＢ４２２に格納されているデータの一例を示す図である。端末位置情報ＤＢ４２２はビーコンＩＤに対応づけられた携帯端末装置２の位置を示す端末位置情報に関するデータを記憶するデータベースである。端末位置情報ＤＢ４２２はビーコンＩＤ列及び端末位置列等を備える。ビーコンＩＤ列にはビーコンＩＤが記憶される。端末位置列には端末位置情報が記憶される。端末位置情報ＤＢ４２２のビーコンＩＤ列及び端末位置列は予め記憶されている。
【００７２】
実施の形態３におけるコンテンツ出力システムの作用及び動作を図１１及び１７を参照しつつ説明する。ＣＰＵ４１はビーコンＩＤのグループが所定のグループであると判定した場合、端末位置情報ＤＢ４２２を参照し、ビーコンＩＤに対応づけられた端末位置情報を特定する。ＣＰＵ４１は特定した端末位置情報、取得日時及び氏名情報を通信部４６からコンテンツ出力装置３へ出力する。
【００７３】
ＣＰＵ３１は取得日時、氏名情報及び端末位置情報を通信部３６でサーバ装置４から取得する。ＣＰＵ３１は取得日時、氏名情報及び端末位置情報を通信部３６から端末装置５へ出力する。ＣＰＵ５１は取得日時、氏名情報及び端末位置情報を通信部５６でコンテンツ出力装置３から取得する。ＣＰＵ５１は取得日時、氏名情報及び端末位置情報に基づいて表示部５５を出力する。
【００７４】
実施の形態３における具体的なコンテンツ出力システムの作用及び動作は以下の通りである。ＣＰＵ４１はビーコンＩＤ１１１のグループＡが所定のグループＡであると判定する。ＣＰＵ４１は端末位置情報ＤＢ４２２を参照し、ビーコンＩＤ１１１に対応づけられた端末位置情報「北入口」を特定する。ＣＰＵ４１は特定した端末位置情報「北入口」、取得日時２０１４／２／１及び氏名Ａを通信部４６からコンテンツ出力装置３へ出力する。
【００７５】
ＣＰＵ３１は端末位置情報「北入口」、取得日時２０１４／２／１及び氏名Ａを通信部３６でサーバ装置４から取得する。ＣＰＵ３１は端末位置情報「北入口」、取得日時２０１４／２／１及び氏名Ａを通信部３６から携帯端末装置５へ出力する。ＣＰＵ５１は端末位置情報「北入口」、取得日時２０１４／２／１及び氏名Ａを通信部５６でコンテンツ出力装置３から取得する。ＣＰＵ５１は端末位置情報「北入口」、取得日時２０１４／２／１及び氏名Ａに基づいて表示部５５を出力する。
【００７６】
図１８は取得した取得日時及び氏名情報に基づいて出力した表示部５５を示す説明図である。図１８に示すように、ＣＰＵ５１は例えば表示部５５に「日頃頻繁にご利用戴いているＡさまが北入口にご入場されました。前回のご利用は２０１４／２／１です。」を出力する。コンテンツ出力システムの携帯端末装置２Ｂ〜２Ｃは携帯端末装置２Ａと同様の作用及び動作を行うため、簡潔のため説明を省略する。
【００７７】
図１９は実施の形態３に係るコンテンツ出力システムの処理手順を示したフローチャートである。ステップＳ１〜２１の処理は上述の実施の形態２に係るコンテンツ出力システムと同様であるので、簡潔のため説明を省略する。ＣＰＵ４１はステップＳ２１の処理がＹＥＳであった場合、端末位置情報ＤＢ４２２を参照し、ビーコンＩＤに対応づけられた端末位置情報を特定する（ステップＳ３１）。ＣＰＵ４１は特定した端末位置情報、取得日時及び氏名情報を通信部４６からコンテンツ出力装置３へ出力する（ステップＳ３２）。
【００７８】
ＣＰＵ３１は取得日時、氏名情報及び端末位置情報を通信部３６でサーバ装置４から取得する（ステップＳ３３）。ＣＰＵ３１は取得日時、氏名情報及び端末位置情報を通信部３６から携帯端末装置５へ出力する（ステップＳ３４）。ＣＰＵ５１は取得日時、氏名情報及び端末位置情報を通信部５６でコンテンツ出力装置３から取得する（ステップＳ３５）。ＣＰＵ５１は取得日時、氏名情報及び端末位置情報を表示部５５に出力し（ステップＳ３６）、処理を終了する。
【００７９】
本実施形態におけるコンテンツ出力装置３は端末位置情報を出力するため、ユーザは携帯端末装置２の位置を把握できる。
【００８０】
実施の形態４
図２０は実施の形態４に係るサーバ装置４のハードウェア群を示すブロック図である。以下、特に説明する構成、作用以外の構成及び作用は実施の形態３と同等であり、簡潔のため記載を省略する。サーバ装置４の記憶部４２は価格情報ＤＢ４２３を備える。
【００８１】
図２１は価格情報ＤＢ４２３に格納されているデータの一例を示す図である。価格情報ＤＢ４２３は商品の価格を示す価格情報に関するデータを記憶するデータベースである。価格情報ＤＢ４２３は端末ＩＤ列、ビーコンＩＤ列、グループ列、価格列及び氏名情報列等を備える。価格情報ＤＢ４２３の端末ＩＤ列、ビーコンＩＤ列、グループ列及び氏名情報列の作用及び動作は、履歴情報ＤＢ４２１の端末ＩＤ列、ビーコンＩＤ列、グループ列及び氏名情報列の作用及び動作と同様であるため、記載を省略する。価格列は例えば１０００、２０００又は３０００が記憶される。価格列の単位は円又はドル等である。価格情報は予め価格情報ＤＢ４２３に記憶されている。
【００８２】
実施の形態４に係るコンテンツ出力システムの作用及び動作を図２１を参照しつつ説明する。ＣＰＵ４１はビーコンＩＤのグループが所定のビーコンＩＤのグループであると判定した後、価格情報ＤＢ４２３に記憶された価格情報及び氏名情報を通信部４６からコンテンツ出力装置３へ出力する。
【００８３】
ＣＰＵ３１は価格情報及び氏名情報を通信部３６でサーバ装置４から取得する。ＣＰＵ３１は端末ＩＤに基づいて価格情報及び氏名情報を通信部３６から携帯端末装置２へ出力する。ＣＰＵ２１は価格情報及び氏名情報を通信部２６でコンテンツ出力装置３から取得する。ＣＰＵ２１は取得した価格情報及び氏名情報に基づいて表示部２５を出力する。
【００８４】
図２２は取得した価格情報及び氏名情報に基づいて出力した表示部２５を示す説明図である。図２２に示すように、ＣＰＵ２１は例えば表示部２５に「Ａさまご来店ありがとうございます。Ａさまへの特別プライスは￥１０００です。」を出力する。コンテンツ出力システムの携帯端末装置２Ｂ〜２Ｃは携帯端末装置２Ａと同様の作用及び動作を行うため、簡潔のため説明を省略する。
【００８５】
図２３は実施の形態４に係るコンテンツ出力システムの処理手順を示したフローチャートである。ステップＳ１〜２１の処理は上述の実施の形態２に係るコンテンツ出力システムと同様であるので、簡潔のため説明を省略する。ＣＰＵ４１はステップＳ２１がＹＥＳであった場合、価格情報ＤＢ４２３に記憶された価格情報及び氏名情報を通信部４６からコンテンツ出力装置３へ出力する（ステップＳ４１）。
【００８６】
ＣＰＵ３１は価格情報及び氏名情報を通信部３６でサーバ装置４から取得する（ステップＳ４２）。ＣＰＵ３１は価格情報及び氏名情報を通信部３６から端末ＩＤに係る携帯端末装置２へ出力する（ステップＳ４３）。
【００８７】
ＣＰＵ２１は価格情報及び氏名情報を通信部２６でコンテンツ出力装置３から取得する（ステップＳ４４）。ＣＰＵ２１は価格情報及び氏名情報を表示部２５に出力し（ステップＳ４５）、処理を終了する。
【００８８】
本実施形態におけるコンテンツ出力装置３は端末位置情報を出力するため、ユーザは簡単に価格を把握できる。
【００８９】
実施の形態５
図２４は実施の形態５に係るサーバ装置４のハードウェア群を示すブロック図である。以下、特に説明する構成、作用以外の構成及び作用は実施の形態２と同等であり、簡潔のため記載を省略する。サーバ装置４の記憶部４２は課金情報ＤＢ４２４を備える。
【００９０】
図２５は実施の形態５に係る位置情報ＤＢ３２１に格納されているデータの一例を示す図である。位置情報ＤＢ３２１はさらに経過時間列を備える。経過時間列には特定したグループのビーコンＩＤの内、いずれか一つのビーコンＩＤの取得を開始してから特定したグループにおける全てのビーコンＩＤの取得を終了するまでの経過時間が記憶される。経過時間列は例えば、１：００、２：００又は３：００等が記憶される。１：００はビーコンＩＤが所定のビーコンＩＤであると判定されてから１時間が経過したことを示す。２：００はビーコンＩＤが所定のビーコンＩＤであると判定されてから２時間が経過したことを示す。３：００はビーコンＩＤが所定のビーコンＩＤであると判定されてから３時間が経過したことを示す。
【００９１】
ＣＰＵ３１は通信部３６でビーコンＩＤ及び端末ＩＤを取得したと判定した後、計時部３７で計時した経過時間を特定する。ＣＰＵ３１はビーコンＩＤ、端末ＩＤ及び経過時間を通信部３６からサーバ装置４へ出力する。ＣＰＵ４１はビーコンＩＤ、端末ＩＤ及び経過時間を通信部４６で取得する。ＣＰＵ４１はビーコンＩＤ及び端末ＩＤとともに経過時間を位置情報ＤＢ３２１に記憶する。
【００９２】
図２６は課金情報ＤＢ４２４に格納されているデータの一例を示す図である。課金情報ＤＢ４２４は経過時間に応じて課金される課金情報に関するデータを記憶するデータベースである。課金情報ＤＢ４２４は端末ＩＤ列、ビーコンＩＤ列、グループ列、経過時間列及び課金情報列等を備える。課金情報ＤＢ４２４の端末ＩＤ列、ビーコンＩＤ列、グループ列及び経過時間列の作用及び動作は、位置情報ＤＢ３２１の端末ＩＤ列、ビーコンＩＤ列、グループ列及び経過時間列の作用及び動作と同様であるため、記載を省略する。課金情報列には課金情報が記憶される。課金情報列は例えば１０００又は０等が記憶される。価格列の単位は円又はドル等である。ＣＰＵ４１は経過時間に基づいて課金情報を算出する。ＣＰＵ４１は算出した課金情報をビーコンＩＤ、端末ＩＤ、グループ及び経過時間とともに課金情報ＤＢ４２４に記憶する。
【００９３】
図２７は複数の送信装置１を設置した映画館、劇場又はビル等の施設６を示す模式図である。施設６は３つに分かれた部屋６１〜６３を備える。部屋６１〜６３には携帯端末装置２Ａ〜２Ｃを有するユーザが入っている。部屋６１〜６３の夫々には角部に複数の送信装置１の夫々が設けられている。例えば部屋６１には送信装置１Ａが左上角部に設けられ、送信装置１Ｂが左下角部に設けられ、送信装置１Ｃが右下角部に設けられ、送信装置１Ｄが右上角部に設けられている。部屋６２〜６３は部屋６１と同様の構成であるため、記載を省略する。
【００９４】
実施の形態５に係るコンテンツ出力システムの作用及び動作を図２５、２６及び２７を参照しつつ説明する。ＣＰＵ２１は通信部２６で一又は複数の無線信号を受信したと判定した場合、ＣＰＵ２１は一又は複数の無線信号に含まれる一又は複数のビーコンＩＤを取得する。ＣＰＵ２１は取得した一又は複数のビーコンＩＤ及び自身の端末ＩＤを通信部２６からコンテンツ出力装置３へ出力する。
【００９５】
コンテンツ出力装置３のＣＰＵ３１は通信部３６で一又は複数のビーコンＩＤ及び端末ＩＤを携帯端末装置２から取得する。ＣＰＵ３１は位置情報ＤＢ３２１を参照し、取得した一又は複数のビーコンＩＤのグループを特定する。ＣＰＵ３１は特定したグループにおける全てのビーコンＩＤの取得が終了したか否かを判定する。ＣＰＵ３１は特定したグループにおける全てのビーコンＩＤの取得が終了したと判定した場合、経過時間を特定する。ＣＰＵ３１は特定したグループのビーコンＩＤ、端末ＩＤ及び経過時間を通信部３６からサーバ装置４へ出力する。
【００９６】
サーバ装置４のＣＰＵ４１は通信部４６で特定したグループのビーコンＩＤ、端末ＩＤ及び経過時間をコンテンツ出力装置３から取得する。ＣＰＵ４１は取得したビーコンＩＤのグループが所定のグループであるか否かを判定する。所定のグループとは例えばグループＡである。ＣＰＵ４１はグループが所定のグループであると判定した場合、経過時間に基づいて課金情報を算出する。具体的にはＣＰＵ４１は経過時間に時間当たりの料金を積算することで課金情報を算出する。ＣＰＵ４１は課金情報を通信部４６からコンテンツ出力装置３へ出力する。
【００９７】
ＣＰＵ３１は課金情報を通信部３６でサーバ装置４から取得する。ＣＰＵ３１は端末ＩＤに基づいて課金情報を通信部３６から携帯端末装置２へ出力する。ＣＰＵ２１は課金情報を通信部２６でコンテンツ出力装置３から取得する。ＣＰＵ２１は課金情報を表示部２５に出力する。
【００９８】
具体的な実施の形態５に係るコンテンツ出力システムの作用及び動作は以下の通りである。端末装置２を有するユーザが部屋６に入る。ＣＰＵ２１は通信部２６で送信装置１Ａ〜１Ｄの無線信号を受信したと判定する。ＣＰＵ２１は送信装置１Ａ〜１Ｄの無線信号に含まれるビーコンＩＤ１１１、１１２、１１３及び１１４を取得する。ＣＰＵ２１は取得したビーコンＩＤ１１１、１１２、１１３及び１１４及び自身の端末ＩＤ１１１１１を通信部２６からコンテンツ出力装置３へ出力する。
【００９９】
コンテンツ出力装置３のＣＰＵ３１は通信部３６でビーコンＩＤ１１１、１１２、１１３及び１１４及び端末ＩＤ１１１１１を携帯端末装置２から取得する。ＣＰＵ３１は位置情報ＤＢ３２１を参照し、取得したビーコンＩＤ１１１、１１２、１１３及び１１４のグループがグループＡであると特定する。
【０１００】
端末装置２を有するユーザが部屋６から出る。ＣＰＵ３１はグループＡにおけるビーコンＩＤ１１１、１１２、１１３及び１１４の取得が終了したと判定する。ＣＰＵ３１はグループＡの経過時間１：００を特定する。ＣＰＵ３１はグループＡのビーコンＩＤ１１１、１１２、１１３及び１１４、端末ＩＤ１１１１１及び経過時間１：００を通信部３６からサーバ装置４へ出力する。
【０１０１】
サーバ装置４のＣＰＵ４１は通信部４６でグループＡのビーコンＩＤ１１１、１１２、１１３及び１１４、端末ＩＤ１１１１１及び経過時間１：００をコンテンツ出力装置３から取得する。ＣＰＵ４１はグループＡが所定のグループＡであると判定する。ＣＰＵ４１は経過時間１：００に時間当たりの料金１０００を積算することで課金情報１０００を算出する。ＣＰＵ４１は課金情報１０００を通信部４６からコンテンツ出力装置３へ出力する。
【０１０２】
ＣＰＵ３１は課金情報１０００を通信部３６でサーバ装置４から取得する。ＣＰＵ３１は端末ＩＤに基づいて課金情報１０００を通信部３６から携帯端末装置２へ出力する。ＣＰＵ２１は課金情報１０００を通信部２６でコンテンツ出力装置３から取得する。ＣＰＵ２１は課金情報１０００を表示部２５に出力する。具体的にはＣＰＵ２１は例えば表示部２５に「現在の利用料金は￥１０００です」を出力する。コンテンツ出力システムの携帯端末装置２Ｂ〜２Ｃは携帯端末装置２Ａと同様の作用及び動作を行うため、簡潔のため説明を省略する。
【０１０３】
図２８〜２９は実施の形態５に係るコンテンツ出力システムの処理手順を示したフローチャートである。携帯端末装置２のＣＰＵ２１は通信部２６で一又は複数の無線信号を受信したか否かを判定する（ステップＳ５１）。ＣＰＵ２１は通信部２６で無線信号を受信しなかったと判定した場合（ステップＳ５１：ＮＯ）、ステップＳ５１に処理を戻し、無線信号を受信するまで待機する。ＣＰＵ２１は通信部２６で無線信号を受信したと判定した場合（ステップＳ５１：ＹＥＳ）、一又は複数の無線信号に含まれる一又は複数のビーコンＩＤを取得する（ステップＳ５２）。ＣＰＵ２１は取得した一又は複数のビーコンＩＤ及び自身の端末ＩＤを通信部２６からコンテンツ出力装置３へ出力する（ステップＳ５３）。
【０１０４】
コンテンツ出力装置３のＣＰＵ３１は通信部３６で一又は複数のビーコンＩＤ及び端末ＩＤを携帯端末装置２から取得する（ステップＳ５４）。ＣＰＵ３１は位置情報ＤＢ３２１を参照し、取得した一又は複数のビーコンＩＤのグループを特定する（ステップＳ５５）。ＣＰＵ３１は特定したグループにおける全てのビーコンＩＤの取得が終了したか否かを判定する（ステップＳ５６）。ＣＰＵ３１は特定したグループにおける全てのビーコンＩＤの取得が終了しなかったと判定した場合（ステップＳ５６：ＮＯ）、特定したグループにおける全てのビーコンＩＤを取得が終了するまで待機する。ＣＰＵ３１は特定したグループにおける全てのビーコンＩＤを取得が終了したと判定した場合（ステップＳ５６：ＹＥＳ）、経過時間を特定する（ステップＳ５７）。
【０１０５】
ＣＰＵ３１は特定したグループのビーコンＩＤ、端末ＩＤ、グループ及び経過時間を通信部３６からサーバ装置４へ出力する（ステップＳ５８）。
【０１０６】
サーバ装置４のＣＰＵ４１は通信部４６で特定したグループのビーコンＩＤ、端末ＩＤ、グループ及び経過時間をコンテンツ出力装置３から取得する（ステップＳ５９）。ＣＰＵ４１は取得したビーコンＩＤのグループが所定のグループであるか否かを判定する（ステップＳ６０）。ＣＰＵ４１はグループが所定のグループでないと判定した場合（ステップＳ６０：ＮＯ）、処理を終了する。ＣＰＵ４１はグループが所定のグループであると判定した場合（ステップＳ６０：ＹＥＳ）、経過時間に基づいて課金情報を算出する（ステップＳ６１）。ＣＰＵ４１は課金情報を通信部４６からコンテンツ出力装置３へ出力する（ステップＳ６２）。
【０１０７】
ＣＰＵ３１は課金情報を通信部３６でサーバ装置４から取得する（ステップＳ６３）。ＣＰＵ３１は端末ＩＤに基づいて課金情報を通信部３６から携帯端末装置２へ出力する（ステップＳ６４）。ＣＰＵ２１は課金情報を通信部２６でコンテンツ出力装置３から取得する（ステップＳ６５）。ＣＰＵ２１は課金情報を表示部２５に出力し（ステップＳ６６）、処理を終了する。
【０１０８】
本実施形態におけるコンテンツ出力システムは施設側が送信装置１を設置することで、映画館、劇場又はレンタルオフィス等の施設で簡単に課金情報を取得することができる。
【０１０９】
なお、本実施形態ではグループ毎に経過時間を特定したが、ビーコンＩＤ毎に経過時間を特定してもよい。また本実施形態ではグループが所定のグループであるか否かを判定したが、ビーコンＩＤが所定のビーコンＩＤであるか否かを判定してもよい。以下、他の実施形態においても同様とする。
【０１１０】
実施の形態６
図３０は実施の形態６に係る課金情報ＤＢ４２４に格納されているデータの一例を示す図である。以下、特に説明する構成、作用以外の構成及び作用は実施の形態６と同等であり、簡潔のため記載を省略する。課金情報ＤＢ４２４はさらに合計課金列を備える。合計課金列には携帯端末装置２に係る課金情報を合計した合計課金が記憶される。合計課金は例えば３０００であり、単位は円又はドル等である。
【０１１１】
図３１は実施の形態６に係る施設６を示す模式図である。施設６はさらに左下の出入り口に送信装置１Ｍ及び１Ｎを備える。実施の形態６に係るコンテンツ出力システムの作用及び動作を図３０及び３１を参照しつつ説明する。
【０１１２】
ＣＰＵ４１は算出した課金情報を課金情報ＤＢ４２４に記憶する。ＣＰＵ４１は取得したビーコンＩＤのグループが合計課金を算出するための所定の合計グループであるか否かを判定する。所定の合計グループとは例えばグループＤ等である。ＣＰＵ４１は取得したビーコンＩＤのグループが所定の合計グループであると判定した場合、課金情報に基づいて合計課金を算出する。具体的にはＣＰＵ４１は課金情報ＤＢ４２４に記憶された課金情報の内、取得した端末ＩＤに対応づけられた課金情報を合計することにより合計課金を算出する。ＣＰＵ４１は算出した合計課金を通信部４６からコンテンツ出力装置３へ出力する。
【０１１３】
ＣＰＵ３１は合計課金を通信部３６でサーバ装置４から取得する。ＣＰＵ３１は端末ＩＤに基づいて合計課金を通信部３６から携帯端末装置２へ出力する。ＣＰＵ２１は合計課金を通信部２６でコンテンツ出力装置３から取得する。ＣＰＵ２１は合計課金を表示部２５に出力し、処理を終了する。
【０１１４】
具体的な実施の形態６に係るコンテンツ出力システムの作用及び動作は以下の通りである。携帯端末装置２Ａを有するユーザが出入り口から入った後、部屋６１に１時間滞在した場合、実施の形態５と同様の処理をした後、ＣＰＵ４１はグループＡのビーコンＩＤ１１１、１１２、１１３及び１１４、端末ＩＤ１１１１１及び経過時間１：００を取得する。ＣＰＵ４１はビーコンＩＤのグループが所定のグループＡであると判定する。ＣＰＵ４１は経過時間１：００に基づいて課金情報１０００を算出する。ＣＰＵ４１は算出した課金情報１０００を課金情報ＤＢ４２４に記憶する。
【０１１５】
次に携帯端末装置２Ａを有するユーザが部屋６１を出て、部屋６２に２時間滞在した場合、実施の形態５と同様の処理をした後、ＣＰＵ４１はグループＢのビーコンＩＤ１１５、１１６、１１７及び１１８、端末ＩＤ１１１１１及び経過時間２：００を取得する。ＣＰＵ４１はビーコンＩＤのグループが所定のグループＢであると判定する。ＣＰＵ４１は経過時間２：００に基づいて課金情報２０００を算出する。ＣＰＵ４１は算出した課金情報２０００を課金情報ＤＢ４２４に記憶する。
【０１１６】
次に携帯端末装置２Ａを有するユーザが部屋６２を出て、出入り口から出た場合、実施の形態５と同様の処理をした後、ＣＰＵ２１はグループＤのビーコンＩＤ１２３及び１２４、端末ＩＤ１１１１１及び経過時間０：０１を取得する。ＣＰＵ４１はビーコンＩＤのグループが所定のグループでないと判定する。ＣＰＵ４１は取得したビーコンＩＤのグループが所定の合計グループＤであると判定する。ＣＰＵ４１は課金情報ＤＢ４２４に記憶された課金情報の内、取得した端末ＩＤ１１１１１に対応づけられた課金情報１０００及び２０００を合計した合計課金３０００を算出する。ＣＰＵ４１は算出した合計課金３０００を通信部４６からコンテンツ出力装置３へ出力する。
【０１１７】
ＣＰＵ３１は合計課金３０００を通信部３６でサーバ装置４から取得する。ＣＰＵ３１は端末ＩＤに基づいて合計課金３０００を通信部３６から携帯端末装置２へ出力する。ＣＰＵ２１は合計課金３０００を通信部２６でコンテンツ出力装置３から取得する。ＣＰＵ２１は例えば表示部２５に「現在の利用料金は￥１０００です」を出力する。
【０１１８】
図３２〜３３は実施の形態７に係るコンテンツ出力システムの処理手順を示したフローチャートである。ステップＳ１〜６１の処理は上述の実施の形態５に係るコンテンツ出力システムと同様であるので、簡潔のため説明を省略する。ＣＰＵ４１はステップＳ６１の処理を終了した後、算出した課金情報を課金情報ＤＢ４２４に記憶する（ステップＳ２０１）。ＣＰＵ４１はステップＳ６０又はステップＳ２０１の処理を終了した後、取得したビーコンＩＤのグループが合計課金を算出するための所定の合計グループであるか否かを判定する（ステップＳ２０２）。所定の合計グループとは例えばグループＤ等である。ＣＰＵ４１は取得したビーコンＩＤのグループが所定の合計グループでないと判定した場合（ステップＳ２０２：ＮＯ）、処理を終了する。ＣＰＵ４１は取得したビーコンＩＤのグループが所定の合計グループであると判定した場合（ステップＳ２０２：ＹＥＳ）、課金情報に基づいて合計課金を算出する（ステップＳ２０３）。ＣＰＵ４１は算出した合計課金を通信部４６からコンテンツ出力装置３へ出力する（ステップＳ２０４）。
【０１１９】
ＣＰＵ３１は合計課金を通信部３６でサーバ装置４から取得する（ステップＳ２０５）。ＣＰＵ３１は端末ＩＤに基づいて合計課金を通信部３６から携帯端末装置２へ出力する（ステップＳ２０６）。ＣＰＵ２１は合計課金を通信部２６でコンテンツ出力装置３から取得する（ステップＳ２０７）。ＣＰＵ２１は合計課金を表示部２５に出力し（ステップＳ２０８）、処理を終了する。
【０１２０】
本実施形態におけるコンテンツ出力システムは複数の部屋を出入りしたユーザの合計課金を簡単に取得することができる。
【０１２１】
実施の形態７
図３４は実施の形態７に係るサーバ装置４のハードウェア群を示すブロック図である。以下、特に説明する構成、作用以外の構成及び作用は実施の形態５と同等であり、簡潔のため記載を省略する。サーバ装置４の記憶部４２は勤怠情報ＤＢ４２５を備える。
【０１２２】
図３５は勤怠情報ＤＢ４２５に格納されているデータの一例を示す図である。勤怠情報ＤＢ４２５は携帯端末装置２に係るユーザにおける勤怠管理の情報を示す勤怠情報に関するデータを記憶するデータベースである。勤怠情報ＤＢ４２５は端末ＩＤ列、ビーコンＩＤ列、グループ列、経過時間列及び勤怠情報列等を備える。勤怠情報ＤＢ４２５の端末ＩＤ列、ビーコンＩＤ列、グループ列及び経過時間列は課金情報ＤＢ４２４の端末ＩＤ列、ビーコンＩＤ列、グループ列及び経過時間列と同等であり、簡潔のため記載を省略する。勤怠情報列は勤怠情報が記憶される。勤怠情報列は例えば定時、残業１時間又は残業２時間等が記憶される。定時は経過時間が所定の定時時間であることを示す。所定の定時時間とは例えば８時間である。１時間は経過時間が所定の定時時間から１時間超えたことを示す。２時間は経過時間が所定の定時時間から２時間超えたことを示す。ＣＰＵ４１は経過時間に基づいて勤怠情報を算出する。ＣＰＵ４１は算出した勤怠情報をビーコンＩＤ、端末ＩＤ、グループ及び経過時間とともに勤怠情報ＤＢ４２５に記憶する。
【０１２３】
実施の形態７に係るコンテンツ出力システムの作用及び動作を図３５を参照しつつ説明する。ＣＰＵ４１は取得したグループが所定のグループであると判定した後、経過時間が所定の経過時間であるか否かを判定する。ＣＰＵ４１は経過時間が所定の定時時間であると判定した場合、勤怠情報を定時に設定する。
【０１２４】
ＣＰＵ４１は経過時間が所定の定時時間でないと判定した場合、経過時間に応じて勤怠情報を設定する。具体的にはＣＰＵ４１は経過時間から所定の定時時間を減算した時間を勤怠情報に設定する。ＣＰＵ４１は勤怠情報を通信部４６からコンテンツ出力装置３へ出力する。
【０１２５】
ＣＰＵ３１は勤怠情報を通信部３６でサーバ装置４から取得する。ＣＰＵ３１は端末ＩＤに基づいて勤怠情報を通信部３６から携帯端末装置２へ出力する。ＣＰＵ２１は勤怠情報を通信部２６でコンテンツ出力装置３から取得する。ＣＰＵ２１は勤怠情報を表示部２５に出力する。
【０１２６】
具体的な実施の形態６に係るコンテンツ出力システムの作用及び動作は以下の通りである。携帯端末装置２Ａ、コンテンツ出力装置３及びサーバ装置４は実施の形態３と同様の作用及び動作をした後、ＣＰＵ４１は取得したグループＡが所定のグループＡであると判定した場合、経過時間８：００が所定の経過時間８：００であるか否かを判定する。ＣＰＵ４１は経過時間８：００が所定の経過時間８：００であると判定した場合、勤怠情報を定時に設定する。
【０１２７】
ＣＰＵ４１は勤怠情報を通信部４６からコンテンツ出力装置３へ出力する。ＣＰＵ３１は勤怠情報を通信部３６でサーバ装置４から取得する。ＣＰＵ３１は端末ＩＤに基づいて勤怠情報を通信部３６から携帯端末装置２へ出力する。ＣＰＵ２１は勤怠情報を通信部２６でコンテンツ出力装置３から取得する。ＣＰＵ２１は勤怠情報を表示部２５に出力する。具体的にはＣＰＵ２１は例えば表示部２５に「定時時間に退社しました」を出力する。
【０１２８】
携帯端末装置２Ｂ、コンテンツ出力装置３及びサーバ装置４は実施の形態３と同様の作用及び動作をした後、ＣＰＵ４１は取得したグループＢが所定のグループＢであると判定した場合、経過時間９：００が所定の経過時間８：００であるか否かを判定する。ＣＰＵ４１は経過時間９：００が所定の経過時間８：００でないと判定した場合、経過時間９：００から所定の定時時間８：００を減算した値である１時間を勤怠情報に設定する。
【０１２９】
ＣＰＵ４１は勤怠情報を通信部４６からコンテンツ出力装置３へ出力する。ＣＰＵ３１は勤怠情報を通信部３６でサーバ装置４から取得する。ＣＰＵ３１は端末ＩＤに基づいて勤怠情報を通信部３６から携帯端末装置２へ出力する。ＣＰＵ２１は勤怠情報を通信部２６でコンテンツ出力装置３から取得する。ＣＰＵ２１は勤怠情報を表示部２５に出力する。具体的にはＣＰＵ２１は例えば表示部２５に「残業を１時間行いました」を出力する。コンテンツ出力システムの携帯端末装置２Ｃは携帯端末装置２Ａ〜２Ｂと同様の作用及び動作を行うため、簡潔のため説明を省略する。
【０１３０】
図３６は実施の形態７に係るＣＰＵ２１の処理手順を示したフローチャートである。ステップＳ１〜６０の処理は上述の実施の形態６に係るコンテンツ出力システムと同様であるので、簡潔のため説明を省略する。ＣＰＵ４１はステップＳ６０がＹＥＳであった場合、経過時間が所定の経過時間であるか否かを判定する（ステップＳ７１）。ＣＰＵ４１は経過時間が所定の定時時間であると判定した場合（ステップＳ７１：ＹＥＳ）、勤怠情報を定時に設定し（ステップＳ７２）、処理をステップＳ７４に移す。
【０１３１】
ＣＰＵ４１は経過時間が所定の定時時間でないと判定した場合（ステップＳ７１：ＮＯ）、経過時間に応じて勤怠情報を設定する（ステップＳ７３）。ＣＰＵ４１は勤怠情報を通信部４６からコンテンツ出力装置３へ出力する（ステップＳ７４）。
【０１３２】
ＣＰＵ３１は勤怠情報を通信部３６でサーバ装置４から取得する（ステップＳ７５）。ＣＰＵ３１は端末ＩＤに基づいて勤怠情報を通信部３６から携帯端末装置２へ出力する（ステップＳ７６）。ＣＰＵ２１は勤怠情報を通信部２６でコンテンツ出力装置３から取得する（ステップＳ７７）。ＣＰＵ２１は勤怠情報を表示部２５に出力し（ステップＳ７８）、処理を終了する。
【０１３３】
本実施形態におけるコンテンツ出力システムは施設側が送信装置１を設置することで、事務所又はビル等の施設で磁気カード又はＩＤカード等を必要とせずに簡単に勤怠情報を取得することができる。
【０１３４】
実施の形態８
図３７は実施の形態８に係るサーバ装置４のハードウェア群を示すブロック図である。以下、特に説明する構成、作用以外の構成及び作用は実施の形態７と同等であり、簡潔のため記載を省略する。サーバ装置４の記憶部４２は効果情報ＤＢ４２６を備える。
【０１３５】
図３８は効果情報ＤＢ４２６に格納されているデータの一例を示す図である。効果情報ＤＢ４２６は広告の効果を示す効果情報に関するデータを記憶するデータベースである。効果情報ＤＢ４２６は端末ＩＤ列、ビーコンＩＤ列、グループ列、経過時間列、広告情報列及び効果情報列等を備える。効果情報ＤＢ４２６の端末ＩＤ列、ビーコンＩＤ列、グループ列及び経過時間列は勤怠情報ＤＢ４２５の端末ＩＤ列、ビーコンＩＤ列、グループ列及び経過時間列と同等であり、簡潔のため記載を省略する。効果情報列は効果情報が記憶される。効果情報列は例えば効果あり又は効果なし等が記憶される。効果ありは広告の効果が有効であったことを示す。効果なしは広告の効果が有効でなかったことを示す。広告情報列は広告の情報が記憶される。
【０１３６】
ＣＰＵ４１は効果情報ＤＢ４２６に取得した端末ＩＤ、ビーコンＩＤ、グループを記憶する。ＣＰＵ３１はビーコンＩＤ及び端末ＩＤの取得を終了したか否かを判定する。ＣＰＵ３１はビーコンＩＤ及び端末ＩＤの取得を終了したと判定した場合、計時部３７で計時した経過時間を特定する。ＣＰＵ３１は経過時間を通信部３６から出力する。ＣＰＵ４１は経過時間を通信部４６で取得したか否かを判定する。
【０１３７】
ＣＰＵ４１は経過時間を通信部４６で取得したと判定した場合、経過時間が所定の経過時間を経過したか否かを判定する。ＣＰＵ４１は経過時間が所定の経過時間を経過したと判定した場合、効果情報が効果ありと特定し、効果情報ＤＢ４２６に記憶する。ＣＰＵ４１は経過時間が所定の経過時間を経過しなかったと判定した場合、効果情報が効果なしと特定し、効果情報ＤＢ４２６に記憶する。
【０１３８】
図３９は実施の形態８に係るコンテンツ出力システムの動作を示す模式図である。図３９Ａは広告の効果が有効である場合のコンテンツ出力システムの動作を示す。図３９Ｂは広告の効果が有効でなかった場合のコンテンツ出力システムの動作を示す。
【０１３９】
実施の形態８に係るコンテンツ出力システムの作用及び動作を図３８及び図３９を参照しつつ説明する。携帯端末装置２及びコンテンツ出力装置３は実施の形態３と同様の作用及び動作をした後、特定したグループのビーコンＩＤ、端末ＩＤ及びグループを通信部３６からサーバ装置４へ出力する。
【０１４０】
サーバ装置４のＣＰＵ４１は通信部４６で特定したグループの端末ＩＤ、ビーコンＩＤ、グループ及び経過時間をコンテンツ出力装置３から取得する。ＣＰＵ４１は取得したグループが所定のグループであるか否かを判定する。所定のグループとはグループＡである。ＣＰＵ４１はグループが所定のグループであると判定した場合、広告情報を通信部４６からコンテンツ出力装置３へ出力する。
【０１４１】
ＣＰＵ３１は広告情報を通信部３６でサーバ装置４から取得する。ＣＰＵ３１は端末ＩＤに基づいて広告情報を通信部３６から携帯端末装置２へ出力する。ＣＰＵ２１は広告情報を通信部２６でコンテンツ出力装置３から取得する。ＣＰＵ２１は広告情報を表示部２５に出力する。
【０１４２】
ＣＰＵ３１は特定したグループにおける全てのビーコンＩＤの取得が終了したか否かを判定する。ＣＰＵ３１は特定したグループにおける全てのビーコンＩＤを取得が終了したと判定した場合、経過時間を特定する。ＣＰＵ３１は経過時間を通信部３６からサーバ装置４へ出力する。
【０１４３】
ＣＰＵ４１は経過時間を通信部４６でコンテンツ出力装置３から取得する。ＣＰＵ４１は経過時間が所定の経過時間を経過したか否かを判定する。所定の経過時間とは１０分である。ＣＰＵ４１は経過時間が所定の経過時間を経過したと判定した場合、効果情報が効果ありと特定し、効果情報ＤＢ４２６に記憶する。
【０１４４】
ＣＰＵ４１は経過時間が所定の経過時間を経過していないと判定した場合、効果情報が効果なしと特定し、効果情報ＤＢ４２６に記憶する。ＣＰＵ４１は効果情報を表示部４５に出力する。
【０１４５】
具体的な実施の形態７に係るコンテンツ出力システムの作用及び動作は以下の通りである。携帯端末装置２Ａ及びコンテンツ出力装置３は実施の形態７と同様の作用及び動作をした後、特定したグループＡのビーコンＩＤ１１１、１１２、１１３及び１１４、端末ＩＤ１１１１１、グループＡを通信部３６からサーバ装置４へ出力する。
【０１４６】
サーバ装置４のＣＰＵ４１は通信部４６で特定したグループＡのビーコンＩＤ１１１、１１２、１１３及び１１４、端末ＩＤ１１１１１、グループＡをコンテンツ出力装置３から取得する。ＣＰＵ４１はグループＡが所定のグループＡであると判定する。ＣＰＵ４１は広告Ａを通信部４６からコンテンツ出力装置３へ出力する。
【０１４７】
ＣＰＵ３１は広告Ａを通信部３６でサーバ装置４から取得する。ＣＰＵ３１は端末ＩＤ１１１１１に基づいて広告Ａを通信部３６から携帯端末装置２Ａへ出力する。ＣＰＵ２１は広告Ａを通信部２６でコンテンツ出力装置３から取得する。ＣＰＵ２１は広告Ａを表示部２５に出力する。
【０１４８】
携帯端末装置２Ａを有するユーザが２０分立ち止って見た後、グループＡのビーコンＩＤ１１１、１１２、１１３及び１１４の通信可能範囲から離れた場合（図３９Ａ）、ＣＰＵ３１は経過時間０：２０を特定する。ＣＰＵ３１は経過時間０：２０を通信部３６からサーバ装置４へ出力する。
【０１４９】
ＣＰＵ４１は経過時間０：２０を通信部４６でコンテンツ出力装置３から取得する。ＣＰＵ４１は経過時間０：２０が所定の経過時間１０分を経過したか否かを判定する。ＣＰＵ４１は経過時間０：２０が所定の経過時間１０分を経過したと判定した場合、効果情報が効果ありと特定し、効果情報ＤＢ４２６に記憶する。ＣＰＵ４１は「広告Ａの効果あり」を表示部４５に出力する。
【０１５０】
携帯端末装置２Ｂ及びコンテンツ出力装置３は実施の形態６と同様の作用及び動作をした後、特定したグループＢのビーコンＩＤ１１５、１１６、１１７及び１１８、端末ＩＤ１１１１２、グループＢを通信部３６からサーバ装置４へ出力する。
【０１５１】
サーバ装置４のＣＰＵ４１は通信部４６で特定したグループＢのビーコンＩＤ１１５、１１６、１１７及び１１８、端末ＩＤ１１１１２、グループＢをコンテンツ出力装置３から取得する。ＣＰＵ４１はグループＢが所定のグループＢであると判定する。ＣＰＵ４１は広告Ｂを通信部４６からコンテンツ出力装置３へ出力する。
【０１５２】
ＣＰＵ３１は広告Ｂを通信部３６でサーバ装置４から取得する。ＣＰＵ３１は端末ＩＤ１１１１１に基づいて広告Ｂを通信部３６から携帯端末装置２Ｂへ出力する。ＣＰＵ２１は広告Ｂを通信部２６でコンテンツ出力装置３から取得する。ＣＰＵ２１は広告Ｂを表示部２５に出力する。
【０１５３】
携帯端末装置２Ｂを有するユーザが広告を見ずに１分で立ち去り、グループＢのビーコンＩＤ１１５、１１６、１１７及び１１８の通信可能範囲から離れた場合（図３９Ｂ）、ＣＰＵ３１は経過時間０：０１を特定する。ＣＰＵ３１は経過時間０：０１を通信部３６からサーバ装置４へ出力する。
【０１５４】
ＣＰＵ４１は経過時間０：０１を通信部４６でコンテンツ出力装置３から取得する。ＣＰＵ４１は経過時間０：０１が所定の経過時間１０分を経過していないと判定する。効果情報が効果なしと特定し、効果情報ＤＢ４２６に記憶する。ＣＰＵ４１は「広告Ｂの効果なし」を表示部４５に出力する。コンテンツ出力システムの携帯端末装置２Ｃは携帯端末装置２Ｂと同様の作用及び動作を行うため、簡潔のため説明を省略する。
【０１５５】
図４０〜４２は実施の形態８に係るコンテンツ出力システムの処理手順を示したフローチャートである。ステップＳ５１〜５５の処理は上述の実施の形態６に係るコンテンツ出力システムと同様であるので、簡潔のため説明を省略する。ＣＰＵ３１は特定したグループのビーコンＩＤ及び端末ＩＤ及びグループを通信部３６からサーバ装置４へ出力する（ステップＳ８１）。
【０１５６】
サーバ装置４のＣＰＵ４１は通信部４６で特定したグループのビーコンＩＤ、端末ＩＤ及びグループをコンテンツ出力装置３から取得する（ステップＳ８２）。ＣＰＵ４１は取得したビーコンＩＤのグループが所定のグループであるか否かを判定する（ステップＳ８３）。ＣＰＵ４１はグループが所定のグループでないと判定した場合（ステップＳ８３：ＮＯ）、処理を終了する。ＣＰＵ４１はグループが所定のグループであると判定した場合（ステップＳ８３：ＹＥＳ）、広告情報を通信部４６からコンテンツ出力装置３へ出力する（ステップＳ８４）。
【０１５７】
ＣＰＵ３１は広告情報を通信部３６でサーバ装置４から取得する（ステップＳ８５）。ＣＰＵ３１は端末ＩＤに基づいて広告情報を通信部３６から携帯端末装置２へ出力する（ステップＳ８６）。ＣＰＵ２１は広告情報を通信部２６でコンテンツ出力装置３から取得する（ステップＳ８７）。ＣＰＵ２１は広告情報を表示部２５に出力し（ステップＳ８８）、処理を終了する。
【０１５８】
ＣＰＵ３１は特定したグループにおける全てのビーコンＩＤの取得が終了したか否かを判定する（ステップＳ８９）。ＣＰＵ３１は特定したグループにおける全てのビーコンＩＤの取得が終了しなかったと判定した場合（ステップＳ８９：ＮＯ）、特定したグループにおける全てのビーコンＩＤを取得が終了するまで待機する。ＣＰＵ３１は特定したグループにおける全てのビーコンＩＤを取得が終了したと判定した場合（ステップＳ８９：ＹＥＳ）、経過時間を特定する（ステップＳ９０）。ＣＰＵ３１は経過時間を通信部３６からサーバ装置４へ出力する（ステップＳ９１）。
【０１５９】
ＣＰＵ４１は経過時間を通信部４６でコンテンツ出力装置３から取得する（ステップＳ９２）。ＣＰＵ４１は経過時間が所定の経過時間を経過したか否かを判定する（ステップＳ９３）。ＣＰＵ４１は経過時間が所定の経過時間を経過したと判定した場合（ステップＳ９３：ＹＥＳ）、効果情報が効果ありと特定し、効果情報ＤＢ４２６に記憶し（ステップＳ９４）、ステップＳ９６に処理を移す。
【０１６０】
ＣＰＵ４１は経過時間が所定の経過時間を経過していないと判定した場合（ステップＳ９３：ＮＯ）、効果情報が効果なしと特定し、効果情報ＤＢ４２６に記憶する（ステップＳ９５）。ＣＰＵ４１はステップＳ９４又はステップＳ９５の処理を終了した後、効果情報を表示部４５に出力し（ステップＳ９６）、処理を終了する。
【０１６１】
本実施形態におけるコンテンツ出力装置３は効果情報を出力するため、ユーザは広告が有効であったか否かを判断できる。
【０１６２】
実施の形態９
図４３は実施の形態９に係る携帯端末装置２のハードウェア群を示すブロック図である。以下、特に説明する構成、作用以外の構成及び作用は実施の形態８と同等であり、簡潔のため記載を省略する。携帯端末装置２の記憶部２２には携帯端末装置２の表示部２５に表示する言語を示す言語設定が記憶される。言語設定は例えば、日本語、English又はFrench等である。携帯端末装置２は音声出力部２８を備える。音声出力部２８は、例えばスピーカであり、ＣＰＵ２１から出力される音声信号に基づいた音声出力を行う。
【０１６３】
図４４は実施の形態９に係るサーバ装置４のハードウェア群を示すブロック図である。サーバ装置４の記憶部４２は案内情報ＤＢ４２７を備える。
【０１６４】
図４５は案内情報ＤＢ４２７に格納されているデータの一例を示す図である。案内情報ＤＢ４２７は、ビーコンＩＤ列、グループ列、言語設定列、案内情報列及び音声情報列等を備える。案内情報ＤＢ４２７は携帯端末装置２に係るユーザを案内するメッセージに関するデータを記憶するデータベースである。ビーコンＩＤ列はビーコンＩＤが記憶される。グループ列にはグループが記憶される。言語設定列には言語設定が記憶される。案内情報列にはメッセージが記憶される。案内情報列には例えば、「駐車場はありません」、「駐車場はありませんので、公共交通機関をご利用ください」、「バリアフリー施設です」、「バリアフリー施設です。車いす用のトイレが完備されています」、「There is not a parking」又は「Il n'ya pas de parking」等が記憶される。
【０１６５】
音声情報列にはメッセージに対応する音声情報が記憶される。音声情報列には例えば、「jp.mp3」、「jp2.mp3」、「jp-a.mp3」、「jp-a2.mp3」、「eng.mp3」又は「fr.mp3」等が記憶される。「jp.mp3」は「駐車場はありません」を放音する音声である。「jp2.mp3」は「駐車場はありませんので、公共交通機関をご利用ください」を放音する音声である。「jp-a.mp3」は「バリアフリー施設です」を放音する音声である。「jp-a.mp3」は「バリアフリー施設です。車いす用のトイレが完備されています」を放音する音声である。「eng.mp3」は「There is not a parking」を放音する音声である。「fr.mp3」は「Il n'ya pas de parking」を報恩する音声である。案内情報ＤＢ４２７には予め言語設定、メッセージ及び音声情報が記憶されている。なお、本実施形態では音声情報はmp3（Mpeg Audio Player-3）形式を採用したが、wave形式又はOgg形式等でもよい。案内情報ＤＢ４２７の各列は予め記憶されている。
【０１６６】
実施の形態９に係るコンテンツ出力システムの作用及び動作について説明する。ＣＰＵ２１は無線信号を受信した後、ビーコンＩＤを取得する。ＣＰＵ２１は一又は複数のビーコンＩＤ、端末ＩＤ及び言語設定を通信部２６からコンテンツ出力装置３へ出力する。
【０１６７】
ＣＰＵ３１は一又は複数のビーコンＩＤ、端末ＩＤ及び言語設定を通信部３６で携帯端末装置２から取得する。ＣＰＵ３１は位置情報ＤＢ３２１を参照し、取得した一又は複数のビーコンＩＤのグループを特定する。ＣＰＵ３１は特定したグループのビーコンＩＤ、端末ＩＤ、グループ及び言語設定を通信部３６からサーバ装置４へ出力する。
【０１６８】
ＣＰＵ４１は特定したグループのビーコンＩＤ、端末ＩＤ、グループ及び言語設定を通信部４６でコンテンツ出力装置３から取得する。ＣＰＵ４１は取得したグループが所定のグループであるか否かを判定する。ＣＰＵ４１は取得したグループが所定のグループであると判定した場合、案内情報ＤＢ４２７を参照し、言語設定及びグループに対応づけられたメッセージ及び音声情報を通信部４６からコンテンツ出力装置３へ出力する。
【０１６９】
ＣＰＵ３１はメッセージ及び音声情報を通信部３６でサーバ装置４から取得する。ＣＰＵ３１は端末ＩＤに基づいてメッセージ及び音声情報を通信部３６から携帯端末装置２へ出力する。ＣＰＵ２１はメッセージ及び音声情報を通信部２６でコンテンツ出力装置３から取得する。ＣＰＵ２１はメッセージを表示部２５に出力する。ＣＰＵ２１は音声情報に基づいて音声出力部２８から音声を出力する。
【０１７０】
具体的な実施の形態９に係るコンテンツ出力システムの作用及び動作は以下の通りである。ＣＰＵ２１は送信装置１Ａ〜１Ｄの無線信号を受信した後、ビーコンＩＤ１１１、１１２、１１３及び１１４を取得する。ＣＰＵ２１はビーコンＩＤ１１１、１１２、１１３及び１１４、端末ＩＤ１１１１１及び言語設定「日本語」を通信部２６からコンテンツ出力装置３へ出力する。
【０１７１】
ＣＰＵ３１はビーコンＩＤ１１１、１１２、１１３及び１１４、端末ＩＤ１１１１１及び言語設定「日本語」を通信部３６で携帯端末装置２から取得する。ＣＰＵ３１は位置情報ＤＢ３２１を参照し、取得したビーコンＩＤ１１１、１１２、１１３及び１１４のグループＡを特定する。ＣＰＵ３１は特定したグループＡのビーコンＩＤ１１１、１１２、１１３及び１１４、端末ＩＤ１１１１１、グループＡ及び言語設定「日本語」を通信部３６からサーバ装置４へ出力する。
【０１７２】
ＣＰＵ４１は特定したグループＡのビーコンＩＤ１１１、１１２、１１３及び１１４、端末ＩＤ１１１１１、グループＡ及び言語設定「日本語」を通信部４６でコンテンツ出力装置３から取得する。ＣＰＵ４１は取得したグループＡが所定のグループＡであると判定する。ＣＰＵ４１は案内情報ＤＢ４２７を参照し、言語設定「日本語」及びグループＡに対応づけられたメッセージ「駐車場はありません」及び音声情報「jp.mp3」を通信部４６からコンテンツ出力装置３へ出力する。
【０１７３】
ＣＰＵ３１はメッセージ「駐車場はありません」及び音声情報「jp.mp3」を通信部３６でサーバ装置４から取得する。ＣＰＵ３１は端末ＩＤ１１１１に基づいてメッセージ「駐車場はありません」及び音声情報「jp.mp3」を通信部３６から携帯端末装置２へ出力する。ＣＰＵ２１はメッセージ「駐車場はありません」及び音声情報「jp.mp3」を通信部２６でコンテンツ出力装置３から取得する。
【０１７４】
図４６は取得したメッセージ及び音声情報に基づいて出力した表示部を示す説明図である。図４６Ａに示すように、ＣＰＵ２１はメッセージ「駐車場はありません」を表示部２５に出力する。ＣＰＵ２１は音声情報「jp.mp3」に基づいて音声出力部から音声「駐車場はありません」を出力する。
【０１７５】
ＣＰＵ２１は送信装置１Ｅ〜１Ｈの無線信号を受信した後、ビーコンＩＤ１１５、１１６、１１７及び１１８を取得する。ＣＰＵ２１はビーコンＩＤ１１５、１１６、１１７及び１１８、端末ＩＤ１１１１２及び言語設定「English」を通信部２６からコンテンツ出力装置３へ出力する。
【０１７６】
ＣＰＵ３１はビーコンＩＤ１１５、１１６、１１７及び１１８、端末ＩＤ１１１１２及び言語設定「English」を通信部３６で携帯端末装置２から取得する。ＣＰＵ３１は位置情報ＤＢ３２１を参照し、取得したビーコンＩＤ１１５、１１６、１１７及び１１８のグループＢ及び１１８、端末ＩＤ１１１１２、グループＢ及び言語設定「English」を通信部３６からサーバ装置４へ出力する。
【０１７７】
ＣＰＵ４１は特定したグループＢのビーコンＩＤ１１５、１１６、１１７及び１１８、端末ＩＤ１１１１２、グループＢ及び言語設定「English」を通信部４６からコンテンツ出力装置３から取得する。ＣＰＵ４１は取得したグループＢが所定のグループＢであると判定する。ＣＰＵ４１は案内情報ＤＢ４２７を参照し、言語設定「English」及びグループＢに対応づけられたメッセージ「There is not a parking」及び音声情報「eng.mp3」を通信部４６からコンテンツ出力装置３へ出力する。
【０１７８】
ＣＰＵ３１はメッセージ「There is not a parking」及び音声情報「eng.mp3」を通信部３６でサーバ装置４から取得する。ＣＰＵ３１は端末ＩＤ１１５、１１６、１１７及び１１８に基づいてメッセージ「There is not a parking」及び音声情報「eng.mp3」を通信部３６から携帯端末装置２へ出力する。ＣＰＵ２１はメッセージ「There is not a parking」及び音声情報「eng.mp3」を通信部２６でコンテンツ出力装置３から取得する。図４６Ｂに示すように、ＣＰＵ２１はメッセージ「There is not a parking」を表示部２５に出力する。ＣＰＵ２１は音声情報「eng.mp3」に基づいて音声出力部２８から音声「There is not a parking」を出力する。
【０１７９】
ＣＰＵ２１は送信装置１Ｉ〜１Ｌの無線信号を受信した後、ビーコンＩＤ１１９、１２０、１２１及び１２２を取得する。ＣＰＵ２１はビーコンＩＤ１１９、１２０、１２１及び１２２、端末ＩＤ１１１１３及び言語設定「French」を通信部２６からコンテンツ出力装置３へ出力する。
【０１８０】
ＣＰＵ３１はビーコンＩＤ１１９、１２０、１２１及び１２２、端末ＩＤ１１１１３及び言語設定「French」を通信部３６で携帯端末装置２から取得する。ＣＰＵ３１は位置情報ＤＢ３２１を参照し、取得したビーコンＩＤ１１９、１２０、１２１及び１２２のグループＣを特定する。ＣＰＵ３１は特定したグループＢのビーコンＩＤ１１９、１２０、１２１及び１２２、端末ＩＤ１１１１３、グループＣ及び言語設定「French」を通信部３６からサーバ装置４へ出力する。
【０１８１】
ＣＰＵ４１は特定したグループＣのビーコンＩＤ１１９、１２０、１２１及び１２２、端末ＩＤ１１１１３、グループＣ及び言語設定「French」を通信部４６でコンテンツ出力装置３から取得する。ＣＰＵ４１は取得したグループＣが所定のグループＣであると判定する。ＣＰＵ４１は案内情報ＤＢ４２７を参照し、言語設定「French」及びグループＣに対応づけられたメッセージ「Il n'ya pas de parking」及び音声情報「fr.mp3」を通信部４６からコンテンツ出力装置３へ出力する。
【０１８２】
ＣＰＵ３１はメッセージ「Il n'ya pas de parking」及び音声情報「fr.mp3」を通信部３６でサーバ装置４から取得する。ＣＰＵ３１は端末ＩＤ１１９、１２０、１２１及び１２２に基づいてメッセージ「Il n'ya pas de parking」及び音声情報「fr.mp3」を通信部３６から携帯端末装置２へ出力する。ＣＰＵ２１はメッセージ「Il n'ya pas de parking」及び音声情報「fr.mp3」を通信部２６でコンテンツ出力装置３から取得する。図４３Ｃに示すように、ＣＰＵ２１はメッセージ「Il n'ya pas de parking」を表示部２５に出力する。ＣＰＵ２１は音声情報「fr.mp3」に基づいて音声出力部から音声「Il n'ya pas de parking」を出力する。以下、コンテンツ出力システムは同様の作用及び動作を行うので、簡潔のため説明を省略する。
【０１８３】
図４７〜４８は実施の形態９に係るコンテンツ出力システムの処理手順を示したフローチャートである。ステップＳ５１〜５２の処理は上述の実施の形態７に係るコンテンツ出力システムと同様であるので、簡潔のため説明を省略する。ＣＰＵ２１は記憶部２２から言語設定を取得する（ステップＳ１０１）。ＣＰＵ２１は一又は複数のビーコンＩＤ、端末ＩＤ及び言語設定を通信部２６からコンテンツ出力装置３へ出力する（ステップＳ１０２）。
【０１８４】
ＣＰＵ３１は一又は複数のビーコンＩＤ、端末ＩＤ及び言語設定を通信部３６で携帯端末装置２から取得する（ステップＳ１０３）。ＣＰＵ３１は位置情報ＤＢ３２１を参照し、取得した一又は複数のビーコンＩＤのグループを特定する（ステップＳ１０４）。ＣＰＵ３１は特定したグループのビーコンＩＤ、端末ＩＤ、グループ及び言語設定を通信部３６からサーバ装置４へ出力する（ステップＳ１０５）。
【０１８５】
ＣＰＵ４１は特定したグループのビーコンＩＤ、端末ＩＤ、グループ及び言語設定を通信部４６からコンテンツ出力装置３から取得する（ステップＳ１０６）。ＣＰＵ４１は取得したグループが所定のグループであるか否かを判定する（ステップＳ１０７）。ＣＰＵ４１は取得したグループが所定のグループでないと判定した場合（ステップＳ１０７：ＮＯ）、処理を終了する。ＣＰＵ４１は取得したグループが所定のグループであると判定した場合（ステップＳ１０７：ＹＥＳ）、案内情報ＤＢ４２７を参照し、言語設定及びグループに対応づけられたメッセージ及び音声情報を通信部４６からコンテンツ出力装置３へ出力する（ステップＳ１０８）。
【０１８６】
ＣＰＵ３１はメッセージ及び音声情報を通信部３６でサーバ装置４から取得する（ステップＳ１０９）。ＣＰＵ３１は端末ＩＤに基づいてメッセージ及び音声情報を通信部３６から携帯端末装置２へ出力する（ステップＳ１１０）。ＣＰＵ２１はメッセージ及び音声情報を通信部２６でコンテンツ出力装置３から取得する（ステップＳ１１１）。ＣＰＵ２１はメッセージを表示部２５に出力する（ステップＳ１１２）。ＣＰＵ２１は音声情報に基づいて音声出力部から音声を出力し（ステップＳ１１３）、処理を終了する。
【０１８７】
本実施形態におけるコンテンツ出力装置３は言語設定及びグループに基づいてメッセージ及び音声情報を出力するため、ユーザは翻訳したメッセージ及び音声を見聞きすることができるため、利便性が向上する。
【０１８８】
なお、本実施形態ではグループが所定のグループであるか否かを判定したが、ビーコンＩＤが所定のビーコンＩＤであるか否かを判定してもよい。
【０１８９】
実施の形態１０
図４９は実施の形態１０に係るサーバ装置４のハードウェア群を示すブロック図である。以下、特に説明する構成、作用以外の構成及び作用は実施の形態１と同等であり、簡潔のため記載を省略する。サーバ装置４の記憶部４２は属性情報ＤＢ４２８を備える。
【０１９０】
図５０は属性情報ＤＢ４２８に格納されているデータの一例を示す図である。属性情報ＤＢ４２８は携帯端末装置２に係るユーザの属性を示す属性情報に関するデータを記憶するデータベースである。属性情報ＤＢ４２８は端末ＩＤ列、ビーコンＩＤ列、グループ列及び属性情報列等を備える。属性情報ＤＢ４２８の端末ＩＤ列及びビーコンＩＤ列は履歴情報ＤＢ４２１の端末ＩＤ列及びビーコンＩＤ列と同等であり、簡潔のため記載を省略する。属性情報列には属性情報が記憶される。属性情報は例えば言語、会社名、住所又はグループ名等である。属性情報列には例えばＡ、Ｂ又はＣ等が記憶される。Ａとは日本語を話すユーザであることを示す。Ｂとは英語を話すユーザであることを示す。Ｃとはフランス語を話すユーザであることを示す。ＣＰＵ４１は通信部４６でコンテンツ出力装置３から取得した端末ＩＤ、ビーコンＩＤ、グループを属性情報ＤＢ４２８に記憶する。ＣＰＵ４１は通信部４６でコンテンツ出力装置３から取得した言語設定に基づいて属性情報を特定し、属性情報ＤＢ４２８に特定した属性情報を記憶する。なお、オペレータ又はユーザが携帯端末装置２又は５から属性情報を入力することによりコンテンツ出力装置３を介してサーバ装置４へ属性情報を出力し、出力した属性情報を属性情報ＤＢ４２８に記憶してもよい。
【０１９１】
図５１は端末数ＤＢ４２９に格納されているデータの一例を示す図である。端末数ＤＢ４２９はグループに対応づけられた端末ＩＤを属性情報毎に計数した端末数に関するデータを記憶するデータベースである。端末数ＤＢ４２９はグループ列、属性情報列、端末数列及び地点列等を備える。グループ列にはグループが記憶される。属性情報列には属性情報が記憶される。端末数列には端末数が記憶される。地点列には送信装置１が設置された地点が記憶される。地点列には例えば新宿、銀座又は西日暮里等が記憶される。端末数ＤＢ４２９のグループ列及び地点列は予め記憶されている。ＣＰＵ４１はグループに対応づけられた端末ＩＤを属性情報毎に計数することにより端末数を算出する。ＣＰＵ４１は算出した端末数及び属性情報を端末数ＤＢ４２９に記憶する。
【０１９２】
図５２は実施の形態１０に係るコンテンツ出力システムを示す模式図である。図５２に示すように、新宿には店舗７Ａ、７Ｂ及び７Ｃが設けられ、銀座には店舗７Ｅ及び７Ｆが設けられ、西日暮里には店舗７Ｉが設けられている。店舗７Ａ、７Ｂ、７Ｃ、７Ｅ、７Ｆ及び７Ｉは送信装置１Ａ、１Ｂ、１Ｃ、１Ｅ、１Ｆ及び１Ｉを備える。送信装置１Ａ、１Ｂ及び１Ｃの通信可能範囲に携帯端末装置２Ａ、２Ｂ及び２Ｃを有するユーザがいる。送信装置１Ｅ及び１Ｆの通信可能範囲に携帯端末装置２Ｅ及び２Ｄを有するユーザがいる。送信装置１Ｉの通信可能範囲に携帯端末装置２Ｉを有するユーザがいる。
【０１９３】
実施の形態９に係るコンテンツ出力システムの作用及び動作を図４７、４８及び４９を参照しつつ説明する。ＣＰＵ４１は各種情報を取得した後、言語設定に基づいて属性情報を特定する。ＣＰＵ４１は属性情報ＤＢ４２８に取得したビーコンＩＤ、端末ＩＤ、グループ及び属性情報を記憶する。ＣＰＵ４１は属性情報ＤＢ４２８を参照し、グループ及び属性情報に対応づけられた端末ＩＤを計数することにより端末数を算出する。ＣＰＵ４１は算出した端末数、グループ及び属性情報を端末数ＤＢ４２９に記憶する。
【０１９４】
ＣＰＵ４１は端末数ＤＢ４２９を通信部４６からコンテンツ出力装置３へ出力する。ＣＰＵ３１は端末数ＤＢ４２９を通信部３６でサーバ装置４から取得する。ＣＰＵ３１は端末数ＤＢ４２９を通信部３６で携帯端末装置２へ出力する。ＣＰＵ２１は端末数ＤＢ４２９を通信部２６でコンテンツ出力装置３から取得する。ＣＰＵ２１は端末数ＤＢ４２９に基づいて表示部２５に出力する。
【０１９５】
具体的な実施の形態１０に係るコンテンツ出力システムの作用及び動作は以下の通りである。ＣＰＵ４１はビーコンＩＤ１１１、端末ＩＤ１１１１１、グループＡ及び言語設定「日本語」を取得した後、言語設定「日本語」に基づいて属性情報Ａを特定する。ＣＰＵ４１は属性情報ＤＢ４２８に取得したビーコンＩＤ１１１、端末ＩＤ１１１１１、グループＡ及び属性情報Ａを記憶する。
【０１９６】
ＣＰＵ４１は属性情報ＤＢ４２８を参照し、グループＡ及び属性情報Ａに対応づけられた端末ＩＤ１１１１１、１１１１２及び１１１１３を計数することによりグループＡ及び属性情報Ａに対応づけられた端末数３を算出する。ＣＰＵ４１はグループＢ及び属性情報Ａに対応づけられた端末ＩＤ１１１１４を計数することによりグループＢ及び属性情報Ａに対応づけられた端末数１を算出する。ＣＰＵ４１はグループＢ及び属性情報Ｂに対応づけられた端末ＩＤ１１１１５を計数することによりグループＢ及び属性情報Ｂに対応づけられた端末数１を算出する。ＣＰＵ４１はグループＣ及び属性情報Ｃに対応づけられた端末ＩＤ１１１１６を計数することによりグループＣ及び属性情報Ｃに対応づけられた端末数１を算出する。
【０１９７】
ＣＰＵ４１は算出した端末数３、グループＡ及び属性情報Ａを端末数ＤＢ４２９の１行目に記憶する。ＣＰＵ４１は算出した端末数１、グループＢ及び属性情報Ａを端末数ＤＢ４２９の２行目に記憶する。ＣＰＵ４１は算出した端末数１、グループＢ及び属性情報Ｂを端末数ＤＢ４２９の３行目に記憶する。ＣＰＵ４１は算出した端末数１、グループＣ及び属性情報Ｃを端末数ＤＢ４２９の４行目に記憶する。
【０１９８】
ＣＰＵ４１は端末数ＤＢ４２９を通信部４６からコンテンツ出力装置３へ出力する。ＣＰＵ３１は端末数ＤＢ４２９を通信部３６でサーバ装置４から取得する。ＣＰＵ３１は端末数ＤＢ４２９を通信部３６で携帯端末装置２へ出力する。ＣＰＵ２１は端末数ＤＢ４２９を通信部２６でコンテンツ出力装置３から取得する。ＣＰＵ２１は端末数ＤＢ４２９に基づいて表示部２５に出力する。
【０１９９】
図５３はＣＰＵ２１が端末数ＤＢ４２９に基づいて出力した表示部２５を示す模式図である。ＣＰＵ２１は３つの円９１、９２及び９３が表示部２５に表示する。ＣＰＵ２１は円の内部に地点及び端末数に応じた長さの棒グラフを表示する。ＣＰＵ２１は棒グラフの中央部に属性情報を表示し、下部に端末数を表示する。具体的なＣＰＵ２１の表示方法は以下の通りである。
【０２００】
ＣＰＵ２１は円９１の内部に新宿の文字及び棒グラフ８１を表示する。ＣＰＵ２１は円９２の内部に銀座の文字及び棒グラフ８２及び８３を表示する。ＣＰＵ２１は円９３の内部には西日暮里の文字及び棒グラフ８４を表示する。ＣＰＵ２１は棒グラフ８１の中央部にＡを表示し、下部に「３人」を表示する。ＣＰＵ２１は棒グラフ８２の中央部にＡを表示し、下部に「１人」を表示する。ＣＰＵ２１は棒グラフ８３の中央部にＢを表示し、下部に「１人」を表示する。ＣＰＵ２１は棒グラフ８４の中央部にＢを表示し、下部に「１人」を表示する。なお、これらの円の位置は実際の地図に対応づけられてもよい。あるいは地図上の地点を指した矢印を設け、端末数を矢印に表示してもよい。
【０２０１】
図５４〜５５は実施の形態１０に係るコンテンツ出力システムの処理手順を示したフローチャートである。ステップＳ５１〜１０６の処理は上述の実施の形態９に係るコンテンツ出力システムと同様であるので、簡潔のため説明を省略する。ＣＰＵ４１はステップＳ１０６の処理を終了した後、言語設定に基づいて属性情報を特定する（ステップＳ１２１）。ＣＰＵ４１は属性情報ＤＢ４２８に取得したビーコンＩＤ、端末ＩＤ、グループ及び属性情報を記憶する（ステップＳ１２２）。ＣＰＵ４１は属性情報ＤＢ４２８を参照し、グループ及び属性情報に対応づけられた端末ＩＤを計数することにより端末数を算出する（ステップＳ１２３）。ＣＰＵ４１は算出した端末数、グループ及び属性情報を端末数ＤＢ４２９に記憶する（ステップＳ１２４）。
【０２０２】
ＣＰＵ４１は端末数ＤＢ４２９を通信部４６からコンテンツ出力装置３へ出力する（ステップＳ１２５）。ＣＰＵ３１は端末数ＤＢ４２９を通信部３６でサーバ装置４から取得する（ステップＳ１２６）。ＣＰＵ３１は端末数ＤＢ４２９を通信部３６で携帯端末装置２へ出力する（ステップＳ１２７）。ＣＰＵ２１は端末数ＤＢ４２９を通信部２６でコンテンツ出力装置３から取得する（ステップＳ１２８）。ＣＰＵ２１は端末数ＤＢ４２９に基づいて表示部２５に出力し（ステップＳ１２９）、処理を終了する。
【０２０３】
本実施形態におけるコンテンツ出力装置３は同じ属性を有するユーザが集合している地点を表示部２５に出力することで、同じ属性を有するユーザが集合している地点をユーザが把握することができる。
【０２０４】
実施の形態１１
図５６は実施の形態１１に係る携帯端末装置２のハードウェア群を示すブロック図である。以下、特に説明する構成、作用以外の構成及び作用は実施の形態１と同等であり、簡潔のため記載を省略する。携帯端末装置２はＧＰＳ（Global Positioning System）受信部２９を備える。ＧＰＳ受信部２９は、ＧＰＳ衛星が出力した電波を受信するアンテナ（図示せず）を有し、当該アンテナを介してＧＰＳ衛星からの電波を受信する。ＧＰＳ受信部２９は、取得した電波を電気信号に変換し、変換した電気信号をＣＰＵ２１に出力する。ＣＰＵ２１は、ＧＰＳ受信部２９から受信した電気信号に基づいて、記憶部２２に記憶してあるプログラム２２Ｐを実行することにより、緯度及び経度の位置情報を取得する。ここでの緯度及び経度のフォーマットは、例えばＮＭＥＡ（National Marine Electronics Association）０１８３規格に従ったものである。
【０２０５】
図５７は実施の形態１１に係るコンテンツ処理システムの処理手順を示したフローチャートである。ステップＳ１〜１２の処理は上述の実施の形態１に係るコンテンツ出力システムと同様であるので、簡潔のため説明を省略する。ＣＰＵ２１はＧＰＳ受信部２９でＧＰＳ衛星から送信された電波を受信したか否かを判定する（ステップＳ１３１）。ＣＰＵ２１はＧＰＳ受信部２９でＧＰＳ衛星から送信された電波を受信しなかったと判定した場合（ステップＳ１３１：ＮＯ）、電波を取得するまで待機する。ＣＰＵ２１はＧＰＳ受信部２９でＧＰＳ衛星から出力した電波を受信したと判定した場合（ステップＳ１３１：ＹＥＳ）、ＧＰＳ受信部２９から受信した電気信号に基づいて、位置情報を取得する（ステップＳ１３２）。ＣＰＵ２１は位置情報を通信部２６からコンテンツ出力装置３へ出力する（ステップＳ１３３）。
【０２０６】
ＣＰＵ３１は位置情報を通信部３６で携帯端末装置２から取得する（ステップＳ１３４）。ＣＰＵ３１は位置情報が示す位置が所定の位置であるか否かを判定する（ステップＳ１３５）。所定の位置とは例えば緯度及び経度が示す位置である。
【０２０７】
ＣＰＵ３１は位置情報が示す位置が所定の位置でないと判定した場合（ステップＳ１３５：ＮＯ）、処理を終了する。ＣＰＵ３１は位置情報が示す位置が所定の位置であると判定した場合（ステップＳ１３５：ＹＥＳ）、無線信号の受信設定の要求を通信部３６から携帯端末装置２へ出力し（ステップＳ１３６）、処理を終了する。ＣＰＵ２１は無線信号の受信設定の要求を通信部２６でコンテンツ出力装置３から取得する（ステップＳ１３７）。ＣＰＵ２１は無線信号の受信設定を行い（ステップＳ１３８）、処理をステップＳ１に移す。
【０２０８】
ユーザが所定の位置に来た場合、ＣＰＵ２１は無線信号の受信設定を行うことで、自動的に送信装置１から送信された無線信号を受信できるようになる。
【０２０９】
以上の実施の形態に関し、更に以下の付記を開示する。
（付記１）
近距離通信に係る通信プロトコルを用いて情報を送信する送信装置１を識別するための送信先識別情報及び該送信先識別情報を前記送信装置から受信した携帯端末装置２を識別するための受信先識別情報を取得する取得部と、
コンテンツを提供するコンテンツ提供装置４へ前記送信先識別情報を出力する出力部と、
前記送信先識別情報に応じたコンテンツを前記コンテンツ提供装置４から取得するコンテンツ取得部とを備え、
前記コンテンツ出力部は該コンテンツ取得部で取得したコンテンツを前記受信先識別情報に係る携帯端末装置２へ出力することを特徴とするコンテンツ出力装置３。
（付記２）
前記受信先識別情報をコンテンツ提供装置４へ出力する情報出力部を備え、
前記コンテンツ取得部は、前記受信先識別情報に対応づけられた氏名、前記受信先識別情報を取得した時間の履歴を示す履歴情報及び前記送信先識別情報に対応づけられた位置情報を前記コンテンツ提供装置４から取得し、
前記コンテンツ出力部は、前記コンテンツ取得部で取得した氏名、前記履歴情報及び前記位置情報を前記携帯端末装置２とは異なる他の携帯端末装置２へ出力することを特徴とする請求項１に記載のコンテンツ出力装置３。
（付記３）
前記取得部は、一又は複数の送信先識別情報を取得し、
前記取得部で取得した一又は複数の送信先識別情報を分類したグループを特定する情報特定部と、
該情報特定部で特定したグループの送信先識別情報の内、いずれか１つの送信先識別情報を取得してから該情報特定部で特定したグループにおける前記取得部で取得した送信先識別情報の取得が終了するまでの経過時間を計時する計時部と、
該計時部で計時した経過時間を前記コンテンツ提供装置４へ出力する時間出力部とを備え、
前記コンテンツ取得部は、前記計時部で計時した経過時間に応じて課金される課金情報を取得し、
前記コンテンツ出力部は、前記コンテンツ取得部で取得した課金情報を前記受信先識別情報に係る携帯端末装置２へ出力することを特徴とする付記１又は付記２に記載のコンテンツ出力装置３。
（付記４）
前記受信先識別情報に係る携帯端末装置から前記携帯端末装置に設定された言語設定情報を取得する設定情報取得部と、
前記設定情報取得部で取得した言語設定情報を前記コンテンツ提供装置４へ出力する設定情報出力部とを備え、
前記コンテンツ取得部は、前記言語設定情報に対応する言語に係るコンテンツを前記コンテンツ提供装置４から取得し、
前記コンテンツ出力部は、前記コンテンツ取得部で取得したコンテンツを前記受信先識別情報に係る携帯端末装置２へ出力することを特徴とする付記１から付記３のいずれか１つに記載のコンテンツ出力装置３。
（付記５）
前記受信先識別情報に係る携帯端末装置２から前記携帯端末装置２に設定された言語設定情報を取得する設定情報取得部と、
前記設定情報取得部で取得した言語設定情報を前記コンテンツ提供装置へ出力する設定情報出力部とを備え、
前記コンテンツ取得部は、前記設定情報取得部で取得した言語設定情報に基づいて特定される属性情報、前記受信先識別情報を前記属性情報毎に計数した端末数及び前記属性情報及び端末数に対応づけられ、前記送信装置１が設置された地点を取得し、
前記コンテンツ出力部は、前記コンテンツ取得部で取得した属性情報、端末数及び地点を前記受信先識別情報に係る携帯端末装置２へ出力することを特徴とする付記１から付記３のいずれか１つに記載のコンテンツ出力装置３。
【０２１０】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【０２１１】
１  送信装置（送信先）
２  携帯端末装置（受信先）
３  コンテンツ出力装置
４  サーバ装置（コンテンツ提供装置）
３２１  位置情報ＤＢ
４２１  履歴情報ＤＢ
４２２  端末位置情報ＤＢ
４２３  価格情報ＤＢ
４２４  課金情報ＤＢ
４２５  勤怠情報ＤＢ
４２６  効果情報ＤＢ
４２７  案内情報ＤＢ
４２８  属性情報ＤＢ
４２９  端末数ＤＢ
【図１】
0005853250.tif 000002
【図２】
0005853250.tif 000003
【図３】
0005853250.tif 000004
【図４】
0005853250.tif 000005
【図５】
0005853250.tif 000006
【図６】
0005853250.tif 000007
【図７】
0005853250.tif 000008
【図８】
0005853250.tif 000009
【図９】
0005853250.tif 000010
【図１０】
0005853250.tif 000011
【図１１】
0005853250.tif 000012
【図１２】
0005853250.tif 000013
【図１３】
0005853250.tif 000014
【図１４】
0005853250.tif 000015
【図１５】
0005853250.tif 000016
【図１６】
0005853250.tif 000017
【図１７】
0005853250.tif 000018
【図１８】
0005853250.tif 000019
【図１９】
0005853250.tif 000020
【図２０】
0005853250.tif 000021
【図２１】
0005853250.tif 000022
【図２２】
0005853250.tif 000023
【図２３】
0005853250.tif 000024
【図２４】
0005853250.tif 000025
【図２５】
0005853250.tif 000026
【図２６】
0005853250.tif 000027
【図２７】
0005853250.tif 000028
【図２８】
0005853250.tif 000029
【図２９】
0005853250.tif 000030
【図３０】
0005853250.tif 000031
【図３１】
0005853250.tif 000032
【図３２】
0005853250.tif 000033
【図３３】
0005853250.tif 000034
【図３４】
0005853250.tif 000035
【図３５】
0005853250.tif 000036
【図３６】
0005853250.tif 000037
【図３７】
0005853250.tif 000038
【図３８】
0005853250.tif 000039
【図３９】
0005853250.tif 000040
【図４０】
0005853250.tif 000041
【図４１】
0005853250.tif 000042
【図４２】
0005853250.tif 000043
【図４３】
0005853250.tif 000044
【図４４】
0005853250.tif 000045
【図４５】
0005853250.tif 000046
【図４６】
0005853250.tif 000047
【図４７】
0005853250.tif 000048
【図４８】
0005853250.tif 000049
【図４９】
0005853250.tif 000050
【図５０】
0005853250.tif 000051
【図５１】
0005853250.tif 000052
【図５２】
0005853250.tif 000053
【図５３】
0005853250.tif 000054
【図５４】
0005853250.tif 000055
【図５５】
0005853250.tif 000056
【図５６】
0005853250.tif 000057
【図５７】
0005853250.tif 000058